(57)【要約】  ケージナットアセンブリは、ナットと、その回りに巻かれたケージとを有する。ナットおよび／またはケージには多数のスタンドオフが設けられている。スタンドオフは、ケージとナット間の支え面の界面の量を低減し、かくして浴が相手表面に、かくしてケージナットアセンブリに適用された後、ケージが相手表面に溶着されるときに、ケージとナットの２つの部品が互いに固着する可能性を低減する。スタンドオフは、実質的にケージとナットが互いに固着することなしに、ケージナットアセンブリが浴を通して水平姿勢、裏返姿勢、または横向姿勢で移動できるように構成され得る。
2007536470.tif 000002
【特許請求の範囲】
【請求項１】
締結具を受けるように構成されたアセンブリであって、ナット部材と、ケージ部材と、少なくとも１つのスタンドオフとを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記ナット部材への接近を可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであることを特徴とするアセンブリ。
【請求項２】
前記少なくとも１つのスタンドオフは、前記ナット部材に結合されていることを特徴とする請求項１に記載のアセンブリ。
【請求項３】
前記少なくとも１つのスタンドオフは、前記ナット部材の前記少なくとも１つの側壁から外側に延びた突起であることを特徴とする請求項２に記載のアセンブリ。
【請求項４】
前記ナット部材は、前記上面を前記下面に接続する複数の側壁を有し、前記ベース部分の各側壁は、前記ベース部分のエッジに沿って隣接する側壁に接続され、そして少なくとも２つの対向する側壁は、互いに内側に延びて、前記少なくとも１つのスタンドオフが前記ナット部材の前記ベース部分の前記エッジの１つとなることを特徴とする請求項２に記載のアセンブリ。
【請求項５】
前記少なくとも１つのスタンドオフは、前記ケージ部材に結合されていることを特徴とする請求項１に記載のアセンブリ。
【請求項６】
前記少なくとも１つのスタンドオフは、前記ケージ部材から延びた突起であることを特徴とする請求項５に記載のアセンブリ。
【請求項７】
前記少なくとも１つのスタンドオフは、前記ケージ部材から突き出されるように構成されたタブ部材であることを特徴とする請求項５に記載のアセンブリ。
【請求項８】
前記アセンブリが浴を通して裏返姿勢で移動されたときに前記ナット部材が前記ケージ部材に固着する可能性を低減するために、前記ナット部材の前記上面と前記ケージ部材との間の支え面の界面の量を低減する手段を更に備えることを特徴とする請求項１に記載のアセンブリ。
【請求項９】
前記低減する手段は、前記ナット部材の前記上面に結合されていることを特徴とする請求項８に記載のアセンブリ。
【請求項１０】
前記低減する手段は、前記ケージ部材に結合されていることを特徴とする請求項８に記載のアセンブリ。
【請求項１１】
前記アセンブリが浴を通して水平姿勢で移動されたときに前記ナット部材が前記ケージ部材に固着する可能性を低減するために、前記ナット部材の前記下面と前記ケージ部材との間の支え面の界面の量を低減する手段を更に備えることを特徴とする請求項１に記載のアセンブリ。
【請求項１２】
前記低減する手段は、前記ナット部材の前記下面に結合されていることを特徴とする請求項１１に記載のアセンブリ。
【請求項１３】
前記低減する手段は更に、締結具が前記ナット部材に対して十分に係合および固定されるときに、前記ケージ部材に埋め込まれるように構成されていることを特徴とする請求項１２に記載のアセンブリ。
【請求項１４】
前記ケージ部は、前記ナット部材が前記ケージ部材から外されることを防止するように、曲げられて構成された少なくとも１つのアーム部分を設けていることを特徴とする請求項１に記載のアセンブリ。
【請求項１５】
前記少なくとも１つのアーム部分は、さらに前記ナット部材が前記ケージ部材から外されることを可能にするように、再び曲げられて構成されていることを特徴とする請求項１４に記載のアセンブリ。
【請求項１６】
締結具を受けるように構成されたアセンブリであって、ナット部材と、ケージ部材と、少なくとも１つのスタンドオフとを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記締結具が前記ナット部材に係合することを可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが一種の浴を通して裏返姿勢で移動されたときに前記ナット部材が前記ケージ部材に固着する可能性を低減するために、前記ナット部材の前記上面と前記ケージ部材との間の支え面の界面の量を低減するものであることを特徴とするアセンブリ。
【請求項１７】
前記少なくとも１つのスタンドオフは、前記ナット部材に結合されていることを特徴とする請求項１６に記載のアセンブリ。
【請求項１８】
前記少なくとも１つのスタンドオフは、前記ナット部材の前記上面から外側に延びた突起であることを特徴とする請求項１７に記載のアセンブリ。
【請求項１９】
前記少なくとも１つのスタンドオフは、前記ケージ部材に結合されていることを特徴とする請求項１６に記載のアセンブリ。
【請求項２０】
前記少なくとも１つのスタンドオフは、前記ケージ部材から延びた突起であることを特徴とする請求項１９に記載のアセンブリ。
【請求項２１】
前記少なくとも１つのスタンドオフは、前記ケージ部材から曲げられるように構成されたタブ部材であることを特徴とする請求項１９に記載のアセンブリ。
【請求項２２】
前記少なくとも１つのスタンドオフは、前記ケージ部材から突き出されるように構成されたタブ部材であることを特徴とする請求項１９に記載のアセンブリ。
【請求項２３】
前記少なくとも１つのスタンドオフは、前記ケージ部材から引き出されるように構成されたフランジであることを特徴とする請求項１９に記載のアセンブリ。
【請求項２４】
前記アセンブリが前記浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減する手段を更に備えることを特徴とする請求項１６に記載のアセンブリ。
【請求項２５】
前記低減する手段は、前記ナット部材の前記少なくとも１つの側壁に結合されていることを特徴とする請求項２４に記載のアセンブリ。
【請求項２６】
前記第２の低減する手段は、前記ケージ部材に結合されていることを特徴とする請求項２４に記載のアセンブリ。
【請求項２７】
前記アセンブリが前記浴を通して水平姿勢で移動されたときに前記ナット部材が前記ケージ部材に固着する可能性を低減するために、前記ナット部材の前記下面と前記ケージ部材との間の支え面の界面の量を低減する手段を更に備えることを特徴とする請求項１６に記載のアセンブリ。
【請求項２８】
前記低減する手段は、前記ナット部材の前記下面に結合されていることを特徴とする請求項２７に記載のアセンブリ。
【請求項２９】
前記低減する手段は更に、締結具が前記ナット部材に対して十分に係合および固定されるときに、前記ケージ部材に埋め込まれるように構成されていることを特徴とする請求項２８に記載のアセンブリ。
【請求項３０】
前記ケージ部は、前記ナット部材が前記ケージ部材から外されることを防止するように、曲げられて構成された少なくとも１つのアーム部分を設けていることを特徴とする請求項１６に記載のアセンブリ。
【請求項３１】
前記少なくとも１つのアーム部分は、さらに、前記ナット部材が前記ケージ部材から外されることを可能にするように、再び曲げられて構成されていることを特徴とする請求項３０に記載のアセンブリ。
【請求項３２】
ケージナットアセンブリの一部としてケージ部材内に閉じ込められるように構成されると共に、締結具を受けるように構成されたナット部材であって、ベース部分と、少なくとも１つのスタンドオフとを備え、
ベース部分は、上面と、下面と、前記上面を前記下面に接続する少なくとも１つの側壁とを有し、前記ナット部材の前記下面は、前記締結具が前記ナット部材に対して十分に係合および固定されるときに、前記ケージ部材に対して位置決めされるように構成され、
少なくとも１つのスタンドオフは、前記ケージナットアセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであることを特徴とするナット部材。
【請求項３３】
前記少なくとも１つのスタンドオフは、前記ナット部材の前記少なくとも１つの側壁から外側に延びた突起であることを特徴とする請求項３２に記載のナット部材。
【請求項３４】
前記ナット部材は、前記上面を前記下面に接続する複数の側壁を有し、前記ベース部分の各前記側壁は、前記ベース部分のエッジに沿って隣接する側壁に接続され、そして少なくとも２つの対向する側壁は、互いに内側に延びて、前記少なくとも１つのスタンドオフが前記ナット部材の前記ベース部分の前記エッジの１つとなることを特徴とする請求項３２に記載のナット部材。
【請求項３５】
前記ケージナットアセンブリが浴を通して裏返姿勢で移動されたときに前記ナット部材が前記ケージ部材に固着する可能性を低減するために、前記ナット部材の前記上面と前記ケージ部材との間の支え面の界面の量を低減する手段を更に備えることを特徴とする請求項３２に記載のナット部材。
【請求項３６】
前記低減する手段は、前記ナット部材の前記上面に結合されていることを特徴とする請求項３５に記載のナット部材。
【請求項３７】
前記ケージナットアセンブリが前記浴を通して水平姿勢で移動されたときに前記ナット部材が前記ケージ部材に固着する可能性を低減するために、前記ナット部材の前記下面と前記ケージ部材との間の支え面の界面の量を低減する手段を更に備えることを特徴とする請求項３２に記載のナット部材。
【請求項３８】
前記低減する手段は、前記ナット部材の前記下面に結合されていることを特徴とする請求項３７に記載のナット部材。
【請求項３９】
前記低減する手段は更に、締結具が前記ナット部材に対して十分に係合および固定されるときに、前記ケージ部材に埋め込まれるように構成されていることを特徴とする請求項３８に記載のナット部材。
【請求項４０】
ケージナットアセンブリの一部としてケージ部材内に閉じ込められるように構成されると共に、締結具を受けるように構成されたナット部材であって、ベース部分と、少なくとも１つのスタンドオフとを備え、
ベース部分は、上面と、下面と、前記上面を前記下面に接続する少なくとも１つの側壁とを有し、前記ナット部材の前記下面は、締結具が前記ナット部材に対して十分に係合および固定されるときに、前記ケージ部材に対して位置決めされるように構成され、
少なくとも１つのスタンドオフは、前記ケージナットアセンブリが浴を通して裏返姿勢で移動されたときに前記ナット部材が前記ケージ部材に固着する可能性を低減するために、前記ナット部材の前記上面と前記ケージ部材との間の支え面の界面の量を低減するものであることを特徴とするナット部材。
【請求項４１】
前記少なくとも１つのスタンドオフは、前記ナット部材の前記上面に結合されていることを特徴とする請求項４０に記載のナット部材。
【請求項４２】
前記少なくとも１つのスタンドオフは、前記ナット部材の前記上面から外側に延びた突起であることを特徴とする請求項４１に記載のナット部材。
【請求項４３】
前記ケージナットアセンブリが前記浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減する手段を更に備えることを特徴とする請求項３９に記載のナット部材。
【請求項４４】
前記低減する手段は、前記ナット部材の前記少なくとも１つの側壁に結合されていることを特徴とする請求項４３に記載のナット部材。
【請求項４５】
前記ケージナットアセンブリが前記浴を通して水平姿勢で移動されたときに前記ナット部材が前記ケージ部材に固着する可能性を低減するために、前記ナット部材の前記下面と前記ケージ部材との間の支え面の界面の量を低減する手段を更に備えることを特徴とする請求項３９に記載のナット部材。
【請求項４６】
前記低減する手段は、前記ナット部材の前記下面に結合されていることを特徴とする請求項４５に記載のナット部材。
【請求項４７】
前記低減する手段は更に、締結具が前記ナット部材に対して十分に係合および固定されるときに、前記ケージ部材に埋め込まれるように構成されていることを特徴とする請求項４６に記載のナット部材。
【請求項４８】
ケージナットアセンブリの一部としてナット部材を閉じ込めるためのケージ部材であって、前記ナット部材は、ベース部分を有し、このベース部分は、上面と、下面と、前記上面を前記下面に接続する少なくとも１つの側壁とを有し、前記ナット部材は、締結具を受けるように構成され、前記ケージ部材は、第１の表面と、第２の表面と、少なくとも１つのスタンドオフとを備え、
第１の表面は、締結具がナット部材によって受けられるときに、ナット部材の下面に対して位置決めされるように構成され、
第２の表面は、ナット部材が前記ケージ部材の前記第２の表面に面接触可能となるように、ナット部材が前記ケージ部材内に閉じ込められ、
少なくとも１つのスタンドオフは、前記ケージナットアセンブリが浴を通して所定の姿勢で移動されたときに前記ナット部材が前記ケージ部材に固着する可能性を効果的に低減するために、前記ナット部材と前記ケージ部材との間の支え面の界面の量を低減するものであることを特徴とするケージ部材。
【請求項４９】
前記所定の姿勢は、裏返姿勢であり、前記少なくとも１つのスタンドオフは、前記ケージ部材の前記第２の表面に結合され、そしてナット部材のベース部分の上面と面接触するように構成されていることを特徴とする請求項４８に記載のケージ部材。
【請求項５０】
前記少なくとも１つのスタンドオフは、前記ケージ部材の前記第２の表面から延びた突起であることを特徴とする請求項４９に記載のケージ部材。
【請求項５１】
前記少なくとも１つのスタンドオフは、前記ケージ部材の前記第２の表面から曲げられるように構成されたタブ部材であることを特徴とする請求項４９に記載のケージ部材。
【請求項５２】
前記少なくとも１つのスタンドオフは、前記ケージ部材の前記第２の表面から突き出されるように構成されたタブ部材であることを特徴とする請求項４９に記載のケージ部材。
【請求項５３】
前記少なくとも１つのスタンドオフは、前記ケージ部材の前記第２の表面から引き出されるように構成されたフランジであることを特徴とする請求項４９に記載のケージ部材。
【請求項５４】
前記ケージ部材が前記浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減する手段を更に備えることを特徴とする請求項４９に記載のケージ部材。
【請求項５５】
前記所定の姿勢は、横向姿勢であり、前記少なくとも１つのスタンドオフは、前記ケージ部材の前記第２の表面に結合され、そしてナット部材のベース部分の少なくとも１つの側壁と面接触する面を有するように構成されていることを特徴とする請求項４８に記載のケージ部材。
【請求項５６】
前記少なくとも１つのスタンドオフは、前記ケージ部材の前記第２の表面から延びた突起であることを特徴とする請求項５５に記載のケージ部材。
【請求項５７】
前記少なくとも１つのスタンドオフは、前記ケージ部材の前記第２の表面から突き出されるように構成されたタブ部材であることを特徴とする請求項５５に記載のケージ部材。
【請求項５８】
前記ケージ部材が前記浴を通して裏返姿勢で移動されたときに前記ナット部材が前記ケージ部材に固着する可能性を低減するために、前記ナット部材の前記上面と前記ケージ部材との間の支え面の界面の量を低減する手段を更に備えることを特徴とする請求項５５に記載のケージ部材。
【請求項５９】
前記ナット部材が前記ケージ部材から外されることを防止するように、曲げられて構成された少なくとも１つのアーム部分をさらに備えていることを特徴とする請求項４８に記載のケージ部材。
【請求項６０】
前記少なくとも１つのアーム部分は、さらに前記ナット部材が前記ケージ部材から外されることを可能にするように、再び曲げられて構成されていることを特徴とする請求項５９に記載のケージ部材。
【発明の詳細な説明】
【技術分野】
【０００１】
［相互参照］
この特許出願は、“スタンドオフを有するケージナットアセンブリ”なる名称で２００４年６月２２日に出願された米国特許出願第１０／８７５，０３１号と、“スタンドオフナットを有するケージナットアセンブリ”なる名称で２００３年７月１４日に出願された米国特許出願第１０／６１９，３４０号の国内優先権の利益を主張する。米国特許出願第１０／８７５，０３１号は、米国特許出願第１０／６１９，３４０号の一部継続出願である。
【背景技術】
【０００２】
本発明は、ケージナットアセンブリに関する。
【０００３】
ケージナットアセンブリは、従来から周知であって、ツールで到達することが困難であったり、場合によっては不可能なフレーム内の位置に、ネジ切りされたナットを保持することができる有用な機能を提供する。ケージナットアセンブリは、車両におけるシートの取り付け、ラジエータの取り付け、シャーシから駆動トレインへの取り付け用に、さらには公差変化を斟酌し、また雄ネジ型締結具による係合を可能とするために、ナットが“Ｘ”，“Ｙ”および“Ｚ”軸の少なくとも１つに沿った浮遊／調整可能性を有する必要のある他のナット応用に使用される。
【０００４】
従来のケージナットアセンブリに関連して、いくつかの問題が生じている。１つの問題は、ケージナットアセンブリのケージが相手表面、例えば自動車のフレームに溶接された後に起こる。ケージが自動車のフレームに溶接されると、そのフレームは、そこに腐食または塗料被覆を加える浴、例えばｅ−コートまたはＥＬＰＯ浴を通して移送される。ナットの下面がケージの一部分に接して平らに座することが可能なケージナットアセンブリでは、浴が適用されたときに、ケージナットアセンブリが浴内で水平方向移動すると、ナットとケージは一緒に溶融または固着した状態になって、ケージ内でのナットの意図された浮遊／調整可能性を禁止するか取り除いてしまうことがある。
【０００５】
２つの既知の米国特許は、この問題を認識しており、そしてこの問題を解決するケージナットアセンブリを提供することを試みている。米国特許第５，０９６，３５０号は、ケージまたはナットの何れかに取り付けられる部材、あるいはナットとケージとの間に配置されて、ナットが定位置でトルクを与えられたときに平らになる第３の部品に取り付けられる部材の使用について論じている。この部材は、浴の間に必要とされるスタンドオフを許容して、ナットが定位置でトルクを与えられたときに固い接合を与える。ケージまたはナットの何れかの上に設けられた平坦化可能な突起は、平坦化可能な突起を有する第３の部品の追加と同様に、ケージナットアセンブリに高い製造コストを与える。
【０００６】
米国特許第５，６３０，６８６号は、ナット押出成型品の頂部に固定されたプラスチック製リングの使用について論じている。このリングは、ナットをケージ床または相手パネルよりも上方に保持して、浴が部品を互いに固着させる可能性を取り除く。このプラスチック製リングは、十分に柔軟であり、そしてナットがトルクダウンされて、ナットがケージ床または相手パネルとの界面まで低下させられたときに、固い接合が発生することを許容する。この特許は、所望の機能を果たすために、プラスチック製リングを必要とする。ケージナットアセンブリへのプラスチック製リングの追加は高価であり、しかもリングは、ナットが定位置でトルクを与えられたときに、アセンブリから離脱して、顧客との間で騒鳴音（“ＢＳＲ”）問題を生ずることがある。
【０００７】
これら２つの従来技術の米国特許は、ケージナットアセンブリが浴を通して水平姿勢で移動し、そしてナットの下面がケージの床に座しているときに機能するように設計されているだけである。しかしながら、ケージナットアセンブリは、浴を通して横向姿勢や上下逆の裏返姿勢で移動することが要求されることが多い。この場合、ナットの上面の側部は、ケージの平坦な表面部分に接して留まることが可能であり、かくしてナットおよびケージが互いに固着し、これによりケージ内でのナットの意図された浮遊／調整可能性を禁止しまうことがある。これら２つの従来技術の米国特許は、ケージナットアセンブリが、浴を通して移動するときに、上下逆に裏返されていたり、横向になって、ナットの他の側部がケージの壁かケージの天井のいずれかに固着するときの問題に対応していない。
【０００８】
かくして、浴の適用中にナットがケージに固着してしまうことを許容せず、しかもこの同じ問題を解決することを試みた前述の米国特許の欠点を克服するケージナットアセンブリに対する必要性がある。
【０００９】
［目的および要約］
本発明の実施形態の主たる目的は、そこに腐食または塗料被覆を加える浴の適用時にナットがケージに固着する可能性を低減するケージナットアセンブリを提供することにある。
【００１０】
本発明の実施形態の１つの目的は、ケージナットアセンブリが浴を通して水平姿勢で移動するときに、ナットがケージに固着する可能性を低減するケージナットアセンブリを提供することにある。
【００１１】
本発明の実施形態のもう１つの目的は、ケージナットアセンブリが浴を通して上下逆に裏返されて移動するときに、ナットがケージに固着する可能性を低減するケージナットアセンブリを提供することにある。
【００１２】
本発明の実施形態の更にもう１つの目的は、ケージナットアセンブリが浴を通して横になって移動するときに、ナットがケージに固着する可能性を低減するケージナットアセンブリを提供することにある。
【００１３】
本発明の実施形態のもう１つの目的は、ナットが定位置でトルクを与えられたときに、ナットとケージの間に強い接合を与えるケージナットアセンブリを提供することにある。
【００１４】
本発明の実施形態の異なる目的は、ナットがトルクダウンされる前に、ケージとナット間の支え面の界面の量を低減するスタンドオフ特徴をナット上に与えることにある。
【００１５】
本発明の実施形態の更に異なる目的は、ナットがトルクダウンされる前に、ケージとナット間の支え面の界面の量を低減するスタンドオフ特徴をケージ上に与えることにある。
【００１６】
本発明の実施形態のもう１つの目的は、ケージが取り付けられる相手表面の被覆後に、ナットがケージ内で少なくとも１つの方向に浮遊することを許容されたケージナットアセンブリを提供することにある。
【００１７】
本発明の実施形態の更に異なる目的は、従来技術のケージナットアセンブリと比べて製造コストが少なくてよいケージナットアセンブリを提供することにある。
【００１８】
本発明の実施形態の１つの目的は、ケージよりも硬い材料で形成されたナットを有し、ナットがケージの材料中に押し入ると、その材料が邪魔にならないように流れ出して、ナットがそれ自体をケージ中に埋め込むことができるようにするケージナットアセンブリを提供することにある。
【００１９】
簡単に、そして前述したことに従って、本発明は、ナットとその回りに巻かれたケージとを有するケージナットアセンブリを提供するものである。ナットおよび／またはケージには多数のスタンドオフが設けられている。スタンドオフは、ケージとナット間の支え面の界面の量を低減し、かくして浴が相手表面に、かくしてケージナットアセンブリに適用された後、ケージが相手表面に溶着されるときに、ケージとナットの２つの部品が互いに固着する可能性を低減する。スタンドオフは、実質的にケージとナットが互いに固着することなしに、ケージナットアセンブリが浴を通して水平姿勢、裏返姿勢、または横向姿勢で移動できるように構成され得る。
【００２０】
この発明の構造および動作の組織および手法は、その更なる目的および利点と共に、添付の図面に関連してなされる以下の説明を参照することによって、最も良く理解される。図面では、同様の参照符号は同様の要素を識別している。
【００２１】
［図示された実施形態の詳細な説明］
この発明は、異なる形の実施形態に受け入れ可能であるが、具体的な実施形態が図面に示され、ここで詳細に説明される。但し、この開示は、発明の原理の例示と考えられるべきものであって、この発明を、ここに図示されたものに制限することを意図したものではない、と理解されるべきである。
【００２２】
ケージナットアセンブリ１００の第１実施形態は、図１〜６に示されている。ケージナットアセンブリ２００の第２実施形態は、図７〜１２に示されている。ケージナットアセンブリ３００の第３実施形態は、図１３〜１７に示されている。ケージナットアセンブリ４００の第４実施形態は、図１８〜２３に示されている。ケージナットアセンブリ５００の第５実施形態は、図２４〜３０に示されている。ケージナットアセンブリ６００の第６実施形態は、図３１〜３７に示されている。ケージナットアセンブリ７００の第７実施形態は、図３８〜４３に示されている。ケージナットアセンブリ８００の第８実施形態は、図４４〜４９に示されている。ケージナットアセンブリ９００の第９実施形態は、図５０〜５５に示されている。ケージナットアセンブリ１０００の第１０実施形態は、図５６〜６３に示されている。ケージナットアセンブリ１１００の第１１実施形態は、図６４〜６８に示されている。同様の要素は、第１実施形態では１００番台の、第２実施形態では２００番台の、第３実施形態では３００番台の、第４実施形態では４００番台の、第５実施形態では５００番台の、第６実施形態では６００番台の、第７実施形態では７００番台の、第８実施形態では８００番台の、第９実施形態では９００番台の、第１０実施形態では１０００番台の、そして第１１実施形態では１１００番台の、同様の参照符号によって示されている。
【００２３】
図１〜６に最も良く示されている本発明のケージナットアセンブリ１００の第１実施形態に注目する。このケージナットアセンブリ１００は、ナット１０２と、ケージ１０４とを備える。
【００２４】
ナット１０２は、図１に最も良く示されていて、矩形の板１０６を備える。この板は、概ね平坦な上面１０８と、概ね平坦な下面１１０と、上面および下面１０８，１１０を接続する側壁１１２とを有する。ナット１０２はまた、ナット１０２の上面１０８から外側に延びた円筒部材１１４を備える。円筒部材１１４は、直円柱の形態であることが好ましい。ナット１０２を通して、板１０６から円筒部材１１４内へ開口１１６が延びている。開口１１６は、板１０６の下面１１０で閉鎖されるか、あるいは板１０６全体を通して延びることが好ましい。開口１１６は、開口壁１１８を規定する。この開口壁は、ネジ付きであること、並びにそこに取り付けられるボルトやネジ１６０を受け入れ可能であることが好ましい。
【００２５】
ナット１０２はまた、ナット１０２の下面１１０から外側に延びた４つのスタンドオフ１２０を有することが好ましい。各スタンドオフ１２０は、ナット１０２の下面１１０の４隅の１つから外側に延びている。各スタンドオフ１２０はまた、四面体の形状の突起の形状であって、スタンドオフ１２０の各々が、その突端部分１２２に概ね向かって延びていることが好ましい。勿論、ナット１０２にトルクを加える前に、スタンドオフがナット１０２とケージ１０４間の面接触を低減するものである限り、スタンドオフ１２０は、四面体以外の形状、例えば窪み、リブ、また他の種類のスタンドオフ構造でもよい。
【００２６】
ナット１０２は、ナット部材を板部材内へ冷間形成、スタンピング、またはへら掛けすることによって形成されうる。ナット１０２はそれから、ナット１０２の材料の硬度に依存して、必要であれば、熱処理されることもある。
【００２７】
ケージ１０４は、ナット１０２を閉じ込めるために使用される。ナット１０２を閉じ込める前に、ケージ１０４は、概ね平坦な上および下面１２４，１２６を有している。ケージ１０４は、ベース部分１２８と、このベース部分１２８の対向する端部から延びた湾曲可能な第１及び第２のアーム部分１３０，１３２とを有する。第１及び第２のアーム部分１３０，１３２は、ベース部分１２８と一体的に形成されていることが好ましい。
【００２８】
ケージ１０４のベース部分１２８を通して開口１３３が設けられている。図６を参照されたい。そして、第１及び第２のアーム部分１３０，１３２は、概ね半円形の切り抜き部１３４，１３６をそれらの遊端１３８，１４０に有する。
【００２９】
ケージ１０４は、ナット１０２の材料よりも軟らかい材料で形成されている。
【００３０】
動作時に、図２〜４に最もよく示されているように、ナット１０２は、ベース部分１２８の上面１２４上に位置決めされ、スタンドオフ１２０の突端１２２がベース部分１２８の上面１２４と接触するナット１０２の唯一の部分となる。ケージ１０４のベース部分１２８の上面１２４とナット１０２の下面１１０との間にギャップ１４２が設けられている。
【００３１】
アーム部分１３０，１３２の各々は、ナット１０２の側壁１１２の１つを取り巻いて、ナット１０２の上面１０８上で曲げられる。アーム部分１３０，１３２の遊端１３８，１４０は、典型的には離れて配置され、半円形の切り抜き部１３４，１３６は、互いに整列されている。開口１３３は、半円形の切り抜き部１３４，１３６の直径より大きいか等しい直径を有することが好ましい。ナット１０２の円筒部分１１４は、半円形の切り抜き部１３４，１３６を通して延びている。かくして、ケージ１０４は、ナット１０２を効果的に閉じ込めて、図２〜４に最もよく示されたケージナットアセンブリ１００を形成する。ケージ１０４のサイズは、ナット１０２の移動の範囲が少なくとも１次元に、好ましくは２次元に、例えば図３に示されているように“Ｘ”および“Ｙ”軸方向に制限されるように、設定されている。
【００３２】
ケージ１０４のベース部分１２８の下面１２６はそれから、相手表面または構造部材１７２、例えば自動車のフレームに溶着される。図５および６を参照されたい。構造部材１７２は、そこを通る開口１７４を有する。この開口は、ケージ１０４の開口１３３と整列している。開口１７４は、開口１３３の直径より大きいか等しい直径を有することが好ましい。構造部材１７２とケージ１０４はそれから、典型的には構造部材１７２に腐食または塗料被覆を加えることが予定された浴、例えばｅ−コートまたはＥＬＰＯ浴を通して送られる。スタンドオフ１２０は、ナット１０２の下面１１０がケージ１０４のベース部分１２８の上面１２４上に平坦に座すことを防止し、かくしてケージ１０４とナット１０２間の支え面の界面の量を低減し、かくして被覆または溶着が完了した後にケージ１０４とナット１０２が互いに固着または接着する可能性を低減する。
【００３３】
ナット１０２は、ボルトやネジの形態の雄型ネジ付き締結具１６０によって係合される。この締結具は、ケージ１０４内において定位置でトルクを与えられる。締結具１６０は、構造部材１７２に対して位置決めされた部材１７０の開口１７６を通して、構造部材１７２の開口１７４を通して、ケージ１０４の開口１３３を通して、ナット１０６の開口１１６中へと延びている。締結具１６０は、開口１１６の開口壁１１８に係合する。ケージ１０４は、ナット１０２が回転することを防止して、雄型締結具（図示せず）の完全な係合を可能にする。ケージ１０４の材料よりも硬い材料で形成されたスタンドオフ１２０は、ケージ１０４の材料内に押し入る。このことにより、ケージ１０４の材料は邪魔にならないように流れ出て、スタンドオフ１２０はケージ１０４の軟らかい材料中にはまり込む。この場合スタンドオフ１２０は、図５および６に最もよく示されているように、平坦な状態に変形することはない。ここで留意されるべき点は、実際に雄型締結具１６０はナット１０２と係合されて、図５および６に示された状態を達成する、ということである。ケージ１０４のベース部分１２８の上面１２４とナット１０２の下面１１０との間に設けられたギャップ１４２は、図２および４に示されているように、ナット１０２にトルクを加えて雄型締結具１６０とナット１０２とケージ１０４との間に固い接合が達成された後に完全に除去されるか最小になる。ナット１０２にトルクを加えた後にギャップ１４２が完全に除去されるか最小になるかは、ナット１０２の硬さに対するケージ１０４の硬さの関数であり、また如何に緊密に雄型締結具１６０がナット１０２に係合されているかの関数でもある。
【００３４】
図７〜１２に最も良く示されている本発明のケージナットアセンブリ２００の第２実施形態に注目する。このケージナットアセンブリ２００は、ナット２０２と、ケージ２０４とを備える。
【００３５】
ナット１０２は、図７に最も良く示されていて、矩形の板２０６を備える。この板は、概ね平坦な上面２０８と、概ね平坦な下面２１０と、上面および下面２０８，２１０を接続する側壁２１２とを有する。ナット２０２はまた、ナット２０２の上面２０８から外側に延びる円筒部材２１４を備える。円筒部材２１４は、直円柱の形態であることが好ましい。ナット２０２部材を通して、板２０６から円筒部材２１４内へ開口２１６が延びている。開口２１６は、板２０６の下面２１０で閉鎖されるか、あるいは板２０６全体を通して延びることが好ましい。開口２１６は、開口壁２１８を規定する。この開口壁は、ネジ付きであること、並びにそこに取り付けられるボルトやネジ２６０を受け入れ可能であることが好ましい。
【００３６】
ナット２０２はまた、ナット２０２の下面２１０から外側に延びた４つのスタンドオフ２２０を有することが好ましい。各スタンドオフ２２０は、開口２１６とナット２０２の下面２１０の４隅の１つとの間の距離の一部を延びている。各スタンドオフ１２０はまた、丸いビードの形状の突起の形状であることが好ましい。勿論、ナット２０２にトルクを加える前に、スタンドオフがナット２０２とケージ２０４間の面接触を低減するものである限り、スタンドオフ２２０は、丸いビード以外の形状、例えば窪み、リブ、また他の種類のスタンドオフ構造でもよい。
【００３７】
ナット２０２は、ナット部材を板部材内へ冷間形成、スタンピング、またはへら掛けすることによって形成されうる。ナット２０２はそれから、ナット２０２の材料の硬度に依存して、必要であれば、熱処理されることもある。
【００３８】
ケージ２０４は、ナット２０２を閉じ込めるために使用される。ナット２０２を閉じ込める前に、ケージ２０４は、概ね平坦な上および下面２２４，２２６を有している。ケージ２０４は、ベース部分２２８と、このベース部分２２８の対向する端部から延びた湾曲可能な第１及び第２のアーム部分２３０，２３２とを有する。第１及び第２のアーム部分２３０，２３２は、ベース部分２２８と一体的に形成されていることが好ましい。
【００３９】
ケージ２０４のベース部分２２８を通して開口２３３が設けられている。図１２を参照されたい。そして、第１及び第２のアーム部分２３０，２３２は、概ね半円形の切り抜き部２３４，２３６をそれらの遊端２３８，２４０に有する。
【００４０】
ケージ２０４は、ナット２０２の材料よりも軟らかい材料で形成されている。
【００４１】
動作時に、図８〜１０に最もよく示されているように、ナット２０２は、ベース部分２２８の上面２２４上に位置決めされ、スタンドオフ２２０の突端または線２２２がベース部分２２８の上面２２４と接触するナット２０２の唯一の部分となる。かくしてケージ２０４のベース部分２２８の上面２２４とナット２０２の下面２１０との間にギャップ２４２が設けられる。
【００４２】
アーム部分２３０，２３２の各々は、ナット２０２の側壁２１２の１つを取り巻いて、ナット２０２の上面２０８上で曲げられる。アーム部分２３０，２３２の遊端２３８，２４０は、典型的には離れて配置され、半円形の切り抜き部２３４，２３６は、互いに整列されている。開口２３３は、半円形の切り抜き部２３４，２３６の直径より大きいか等しい直径を有することが好ましい。ナット２０２の円筒部分２１４は、半円形の切り抜き部２３４，２３６を通して延びている。かくして、ケージ２０４は、ナット２０２を効果的に閉じ込めて、図８〜１０に最もよく示されたケージナットアセンブリ２００を形成する。ケージ２０４のサイズは、ナット２０２の移動の範囲が少なくとも１次元に、好ましくは２次元に、例えば図９に示されているように“Ｘ”および“Ｙ”軸方向に制限されるように、設定されている。
【００４３】
ケージ２０４のベース部分２２８の下面２２６はそれから、相手表面または構造部材２７２、例えば自動車のフレームに溶着される。図１１および１２を参照されたい。構造部材２７２は、そこを通る開口２７４を有する。この開口は、ケージ２０４の開口２３３と整列している。開口２７４は、開口２３３の直径より大きいか等しい直径を有することが好ましい。構造部材２７２とケージ２０４はそれから、典型的には構造部材２７２に腐食または塗料被覆を加えることが予定された浴、例えばｅ−コートまたはＥＬＰＯ浴を通して送られる。スタンドオフ２２０は、ナット２０２の下面２１０がケージ２０４のベース部分２２８の上面２２４上に平坦に座すことを防止し、かくしてケージ２０４とナット２０２間の支え面の界面の量を低減し、かくして被覆が完了した後にケージ２０４とナット２０２が互いに固着または接着する可能性を低減する。
【００４４】
ナット２０２は、ボルトやネジの形態の雄型ネジ付き締結具２６０によって係合される。この締結具は、ケージ２０４内において定位置でトルクを与えられる。締結具２６０は、構造部材２７２に対して位置決めされた部材２７０の開口２７６を通して、構造部材２７２の開口２７４を通して、ケージ２０４の開口２３３を通して、ナット２０６の開口２１６中へと延びている。締結具２６０は、開口２１６の開口壁２１８に係合する。ケージ２０４は、ナット２０２が回転することを防止して、雄型締結具２６０の完全な係合を可能にする。ケージ２０４の材料よりも硬い材料で形成されたスタンドオフ２２０は、ケージ２０４の材料内に押し入る。このことにより、ケージ２０４の材料は邪魔にならないように流れ出て、スタンドオフ２２０はケージ２０４の軟らかい材料中にはまり込む。この場合スタンドオフ２２０は、図１１および１２に最もよく示されているように、平坦な状態に変形することはない。ここで留意されるべき点は、実際に雄型締結具２６０はナット２０２と係合されて、図１１および１２に示された状態を達成する、ということである。図８および１０に示されているように、ケージ２０４のベース部分２２８の上面２２４とナット２０２の下面２１０との間に設けられたギャップ２４２は、ナット２０２にトルクを加えて雄型締結具２６０とナット２０２とケージ２０４との間に固い接合が達成された後に完全に除去されるか最小になる。ナット２０２にトルクを加えた後にギャップ２４２が完全に除去されるか最小になるかは、ナット２０２の硬さに対するケージ２０４の硬さの関数であり、また如何に緊密に雄型締結具２６０がナット２０２に係合されているかの関数である。
【００４５】
かくしてケージナットアセンブリ１００，２００は、ナット１０２，２０２が定位置でトルクを与えられた後に、ナット１０２，２０２とケージ１０４，２０４との間の強い接合を可能にする。ケージナットアセンブリ１００，２００はまた、従来技術のケージナットアセンブリと比べて製造コストが少なくて済む。
【００４６】
ケージナットアセンブリ１００，２００はまた、図２および７にそれぞれ示されるように、ケージナットアセンブリ１００，２００が浴を通して水平姿勢で移動するときにナット１０２，２０２がケージ１０４，２０４に固着する可能性を低減するための効果的な対策を与える。しかしながら、ケージナットアセンブリ１００，２００は、ケージナットアセンブリ１００，２００が浴を通して裏返されたり横になって移動するときにナット１０２，２０２がケージ１０４，２０４に固着する可能性を低減しない。ケージナットアセンブリ３００，４００，５００，６００，７００，８００，９００，１０００，１１００は、以下で論じられるように、これらの問題に対するものである。
【００４７】
図１３〜１７に最も良く示されている本発明のケージナットアセンブリ３００の第３実施形態に注目する。このケージナットアセンブリ３００は、ナット３０２と、ケージ３０４とを備える。
【００４８】
ナット３０２は、図１３に最も良く示されていて、矩形の板３０６を備える。この板は、概ね平坦な上面３０８と、概ね平坦な下面３１０と、上面および下面３０８，３１０を接続する側壁３１２とを有する。ナット３０２はまた、ナット３０２の上面３０８から外側に延びた円筒部材３１４を備える。円筒部材３１４は、直円柱の形態であることが好ましい。ナット３０２を通して、板３０６から円筒部材３１４内へ開口３１６が延びている。開口３１６は、板３０６の下面３１０で閉鎖されるか、あるいは板３０６全体を通して延びることが好ましい。開口３１６は、開口壁３１８を規定する。この開口壁は、ネジ付きであること、並びにそこに取り付けられるボルトやネジ（図示せず）を受け入れ可能であることが好ましい。
【００４９】
ナット３０２はまた、ナット３０２の下面３１０から外側に延びた４つのスタンドオフ３２０を有することが好ましい。各スタンドオフ３２０は、ナット３０２の下面３１０の４隅の１つから外側に延びている。各スタンドオフ３２０はまた、四面体の形状の突起の形状であって、スタンドオフ３２０の各々が、その突端部分３２２に概ね向かって延びていることが好ましい。勿論、ナット３０２にトルクを加える前にスタンドオフがナット３０２とケージ３０４間の面接触を低減するものである限り、スタンドオフ３２０は、四面体以外の形状、例えば窪み、リブ、また他の種類のスタンドオフ構造でもよい。
【００５０】
ナット３０２はまた、ナット３０２の上面３０８から外側に延びた４つのスタンドオフ３２１を有することが好ましい。各スタンドオフ３２１は、ナット３０２の上面３０８の４隅の１つから外側に延びている。各スタンドオフ３２１はまた、四面体の形状の突起の形状であって、スタンドオフ３２１の各々が、その突端部分３２２に概ね向かって延びていることが好ましい。勿論、ナット３０２にトルクを加える前にスタンドオフがナット３０２とケージ３０４間の面接触を低減するものである限り、スタンドオフ３２１は、四面体以外の形状、例えば窪み、リブ、また他の種類のスタンドオフ構造でもよい。
【００５１】
ナット３０２は、ナット部材を板部材内へ冷間形成、スタンピング、またはへら掛けすることによって形成されうる。ナット３０２はそれから、ナット３０２の材料の硬度に依存して、必要であれば、熱処理されることもある。
【００５２】
ケージ３０４は、ナット３０２を閉じ込めるために使用される。ナット３０２を閉じ込める前に、ケージ３０４は、概ね平坦な上および下面３２４，３２６を有している。ケージ３０４は、ベース部分３２８と、このベース部分３２８の対向する端部から延びた湾曲可能な第１及び第２のアーム部分３３０，３３２とを有する。第１及び第２のアーム部分３３０，３３２は、ベース部分３２８と一体的に形成されていることが好ましい。
【００５３】
ケージ３０４のベース部分３２８を通して開口（図示せず）が設けられている。そして、第１及び第２のアーム部分３３０，３３２は、概ね半円形の切り抜き部３３４，３３６をそれらの遊端３３８，３４０に有する。
【００５４】
ケージ３０４は、ナット３０２の材料よりも軟らかい材料で形成されている。
【００５５】
動作時に、図１４〜１７に最もよく示されているように、ナット３０２は、ベース部分３２８の上面３２４上に位置決めされ、スタンドオフ３２０の突端３２２がベース部分３２８の上面３２４と接触するナット３０２の唯一の部分となる。かくして、ケージ３０４のベース部分３２８の上面３２４とナット３０２の下面３１０との間にギャップ３４２が設けられる。
【００５６】
アーム部分３３０，３３２の各々は、ナット３０２の側壁３１２の１つを取り巻いて、ナット３０２の上面３０８上で曲げられる。アーム部分３３０，３３２の遊端３３８，３４０は、典型的には離れて配置され、半円形の切り抜き部３３４，３３６は、互いに整列されている。ベース部分を通して設けられた開口は、半円形の切り抜き部３３４，３３６の直径より大きいか等しい直径を有することが好ましい。ナット３０２の円筒部分３１４は、半円形の切り抜き部３３４，３３６を通して延びている。かくして、ケージ３０４は、ナット３０２を効果的に閉じ込めて、図１４〜１７に最もよく示されたケージナットアセンブリ３００を形成する。ケージ３０４のサイズは、ナット３０２の移動の範囲が少なくとも１次元に、好ましくは３次元に、例えば図１４に示されているように“Ｘ”，“Ｙ”および“Ｚ”軸方向に制限されるように、設定されている。
【００５７】
ケージ３０４のベース部分３２８の下面３２６はそれから、相手表面または構造部材（図示せず）、例えば自動車のフレームに溶着される。構造部材は、そこを通る開口（図示せず）を有する。この開口は、ケージ３０４のベース部分３２８を通して設けられた開口と整列している。構造部材の開口は、ベース部分３２８を通して設けられた開口の直径より大きいか等しい直径を有することが好ましい。構造部材とケージ３０４はそれから、典型的には構造部材に腐食または塗料被覆を加えることが予定された浴、例えばｅ−コートまたはＥＬＰＯ浴を通して送られる。ケージ３０４が浴を通して水平姿勢で送られるときに（図１６）、スタンドオフ３２０は、ナット３０２の下面３１０がケージ３０４のベース部分３２８の上面３２４上に平坦に座すことを防止し、かくしてケージ３０４とナット３０２間の支え面の界面の量を低減し、かくして被覆または溶着が完了した後にケージ３０４とナット３０２が互いに固着または接着する可能性を低減する。ケージ３０４が浴を通して裏返姿勢で送られるときに（図１７）、スタンドオフ３２１は、ナット３０２の上面３０８が、ナット３０２の上面３０８の上に曲げられているアーム部分３３０，３３２の部分３８０，３８２の上面３２４上に平坦に座すことを防止し、かくしてケージ３０４とナット３０２間の支え面の界面の量を低減し、かくして被覆または溶着が完了した後にケージ３０４とナット３０２が互いに固着または接着する可能性を低減する。
【００５８】
それからナット３０２は、この発明の第１実施形態においてナット１０２がケージ１０４に固定される点ついてここで説明されたように、また図５および６に示されているように、ケージ３０４に固定されるので、簡潔さのためにここでは再度説明または図示されることはない。
【００５９】
かくして、ケージナットアセンブリ３００は、ケージナットアセンブリ３００が浴を通して水平姿勢または裏返姿勢のいずれかで送られるときに、ケージ３０４とナット３０２が互いに固着または接着する可能性を低減する。
【００６０】
図１８〜２３に最も良く示されている本発明のケージナットアセンブリ４００の第４実施形態に注目する。このケージナットアセンブリ４００は、ナット４０２と、ケージ４０４とを備える。
【００６１】
ナット４０２は、図１８に最も良く示されていて、矩形の板４０６を備える。この板は、概ね平坦な上面４０８と、概ね平坦な下面４１０と、上面および下面４０８，４１０を接続する側壁４１２とを有する。ナット４０２はまた、ナット４０２の上面４０８から外側に延びる円筒部材４１４を備える。円筒部材４１４は、直円柱の形態であることが好ましい。ナット４０２を通して、板４０６から円筒部材４１４内へ開口４１６が延びている。開口４１６は、板４０６の下面４１０で閉鎖されるか、あるいは板４０６全体を通して延びることが好ましい。開口４１６は、開口壁４１８を規定する。この開口壁は、ネジ付きであること、並びにそこに取り付けられるボルトやネジ（図示せず）を受け入れ可能であることが好ましい。
【００６２】
ナット４０２はまた、ナット４０２の下面４１０から外側に延びた４つのスタンドオフ４２０を有することが好ましい。各スタンドオフ４２０は、ナット４０２の下面４１０の４隅の１つから外側に延びている。各スタンドオフ４２０はまた、四面体の形状の突起の形状であって、スタンドオフ４２０の各々が、その突端部分４２２に概ね向かって延びていることが好ましい。勿論、ナット４０２にトルクを加える前に、スタンドオフがナット４０２とケージ４０４間の面接触を低減するものである限り、スタンドオフ４２０は、四面体以外の形状、例えば窪み、リブ、また他の種類のスタンドオフ構造でもよい。
【００６３】
ナット４０２はまた、ナット４０２の上面４０８から外側に延びたスタンドオフ４２１を有することが好ましい。各スタンドオフ４２１はまた、丸い窪みの形状の突起の形状であることが好ましい。勿論、ナット４０２にトルクを加える前に、スタンドオフがナット４０２とケージ４０４間の面接触を低減するものである限り、スタンドオフ４２１は、丸い窪み以外の形状、例えば丸いビード、リブ、また他の種類のスタンドオフ構造でもよい。ナット４０２は、ケージナットアセンブリ４００の所望の構造および動作に依存して、少なくとも１つのスタンドオフ４２１を上面４０８上に、好ましくは２つのスタンドオフ４２１を上面４０８上に、そして可能であれば２より多いスタンドオフ４２１を上面４０８上に有すべきである。
【００６４】
ナット４０２はまた、側壁４１２の少なくとも１つから外側に延びたスタンドオフ４２５を有することが好ましい。各スタンドオフ４２５はまた、丸い窪みの形状の突起の形状であることが好ましい。勿論、ナット４０２にトルクを加える前に、スタンドオフがナット４０２とケージ４０４間の面接触を低減するものである限り、スタンドオフ４２５は、丸い窪み以外の形状、例えば丸いビード、リブ、また他の種類のスタンドオフ構造でもよい。ナット４０２は、ケージナットアセンブリ４００の所望の構造および動作に依存して、側壁４１２の少なくとも１つの上に、好ましくは２つの側壁４１２上に、そして可能であればスタンドオフ４２１の３または４つの上にスタンドオフ４２５を有すべきである。勿論、必要であれば、１より多いスタンドオフ４２５を特別な側壁４１２上に設けることもできる。
【００６５】
ナット４０２は、ナット部材を板部材内へ冷間形成、スタンピング、またはへら掛けすることによって形成されうる。ナット４０２はそれから、ナット４０２の材料の硬度に依存して、必要であれば、熱処理されることもある。
【００６６】
ケージ４０４は、ナット４０２を閉じ込めるために使用される。ナット４０２を閉じ込める前に、ケージ４０４は、概ね平坦な上および下面４２４，４２６を有している。ケージ４０４は、ベース部分４２８と、このベース部分４２８の対向する端部から延びた湾曲可能な第１及び第２のアーム部分４３０，４３２とを有する。第１及び第２のアーム部分４３０，４３２は、ベース部分４２８と一体的に形成されていることが好ましい。
【００６７】
ケージ４０４のベース部分４２８を通して開口（図示せず）が設けられている。そして、第１及び第２のアーム部分４３０，４３２は、概ね半円形の切り抜き部４３４，４３６をそれらの遊端４３８，４４０に有する。
【００６８】
ケージ４０４は、ナット４０２の材料よりも軟らかい材料で形成されている。
【００６９】
動作時に、図１９〜２３に最もよく示されているように、ナット４０２は、ベース部分４２８の上面４２４上に位置決めされ、スタンドオフ４２０の突端４２２がベース部分４２８の上面４２４と接触するナット４０２の唯一の部分となる。かくして、ケージ４０４のベース部分４２８の上面４２４とナット４０２の下面４１０との間にギャップ４４２が設けられる。
【００７０】
アーム部分４３０，４３２の各々は、ナット４０２の側壁４１２の１つを取り巻いて、ナット４０２の上面４０８上で曲げられる。アーム部分４３０，４３２の遊端４３８，４４０は、典型的には離れて配置され、半円形の切り抜き部４３４，４３６は、互いに整列されている。ベース部分４２８を通して設けられている開口は、半円形の切り抜き部４３４，４３６の直径より大きいか等しい直径を有する。ナット４０２の円筒部分４１４は、半円形の切り抜き部４３４，４３６を通して延びている。かくして、ケージ４０４は、ナット４０２を効果的に閉じ込めて、図１９〜２３に最もよく示されたケージナットアセンブリ４００を形成する。ケージ４０４のサイズは、ナット４０２の移動の範囲が少なくとも１次元に、好ましくは３次元に、例えば図１９に示されているように“Ｘ”，“Ｙ”および“Ｚ”軸方向に制限されるように、設定されている。
【００７１】
ケージ４０４のベース部分４２８の下面４２６はそれから、相手表面または構造部材（図示せず）、例えば自動車のフレームに溶着される。構造部材は、そこを通る開口（図示せず）を有する。この開口は、ケージ４０４のベース部分４２８を通して設けられた開口と整列している。構造部材の開口は、ケージ４０４のベース部分４２８を通して設けられた開口の直径より大きいか等しい直径を有することが好ましい。構造部材とケージ４０４はそれから、典型的には構造部材に腐食または塗料被覆を加えることが予定された浴、例えばｅ−コートまたはＥＬＰＯ浴を通して送られる。ケージ４０４が浴を通して水平姿勢で送られるときに（図２１）、スタンドオフ４２０は、ナット４０２の下面４１０がケージ４０４のベース部分４２８の上面４２４上に平坦に座すことを防止し、かくしてケージ４０４とナット４０２間の支え面の界面の量を低減し、かくして被覆または溶着が完了した後にケージ４０４とナット４０２が互いに固着または接着する可能性を低減する。ケージ４０４が浴を通して裏返姿勢で送られるときに（図２２）、スタンドオフ４２１は、ナット４０２の上面４０８が、ナット４０２の上面４０８の上に曲げられているアーム部分４３０，４３２の部分４８０，４８２の上面４２４上に平坦に座すことを防止し、かくしてケージ４０４とナット４０２間の支え面の界面の量を低減し、かくして被覆または溶着が完了した後にケージ４０４とナット４０２が互いに固着または接着する可能性を低減する。ケージ４０４が浴を通して横向姿勢で送られるときに（図２３）、スタンドオフ４２５は、ナット４０２の側壁４１２が、ナット４０２の側壁４１２上に曲げられているアーム部分４３０，４３２の部分４８４，４８６の上面４２４上に平坦に座すことを防止し、かくしてケージ４０４とナット４０２間の支え面の界面の量を低減し、かくして被覆または溶着が完了した後にケージ４０４とナット４０２が互いに固着または接着する可能性を低減する。
【００７２】
それからナット４０２は、この発明の第１実施形態においてナット１０２がケージ１０４に固定される点ついてここで説明されたように、また図５および６に示されているように、ケージ４０４に固定されるので、簡潔さのためにここでは再度説明または図示されることはない。
【００７３】
かくして、ケージナットアセンブリ４００は、ケージナットアセンブリ４００が浴を通して水平姿勢、裏返姿勢、または横向姿勢のいずれかで送られるときに、ケージ４０４とナット４０２が互いに固着または接着する可能性を低減する。
【００７４】
図２４〜３０に最も良く示されている本発明のケージナットアセンブリ５００の第５実施形態に注目する。このケージナットアセンブリ５００は、ナット５０２と、ケージ５０４とを備える。
【００７５】
ナット５０２は、図２４および２５に最も良く示されていて、板５０６を備える。この板は、概ね平坦な上面５０８と、概ね平坦な下面５１０と、上面および下面５０８，５１０を接続する４つの側壁５１２ａ，５１２ｂ，５１２ｃ，５１２ｄとを有する。側壁５１２ａはエッジ５１３ａで側壁５１２ｂに接続され、側壁５１２ｂはエッジ５１３ｂで側壁５１２ｃに接続され、側壁５１２ｃはエッジ５１３ｃで側壁５１２ｄに接続され、側壁５１２ｄはエッジ５１３ｄで側壁５１２ａに接続されている。側壁５１２ａ，５１２ｃは互いに対向しており、また概ね平面的である。側壁５１２ｂ，５１２ｄは互いに対向しているが、互いに内側に向かって、且つナット５０２の上面５０８から外側に延びた円筒部材５１４に向かって延びている。このため、ナット５０２は、上から見たときに、ボウタイ構成を有するように見える。図２５を参照されたい。
【００７６】
円筒部材５１４は、直円柱の形態であることが好ましい。ナット５０２を通して、板５０６から円筒部材５１４内へ開口５１６が延びている。開口５１６は、板５０６の下面５１０で閉鎖されるか、あるいは板５０６全体を通して延びることが好ましい。開口５１６は、開口壁５１８を規定する。この開口壁は、ネジ付きであること、並びにそこに取り付けられるボルトやネジ（図示せず）を受け入れ可能であることが好ましい。
【００７７】
ナット５０２はまた、ナット５０２の下面５１０から外側に延びた４つのスタンドオフ５２０を有することが好ましい。各スタンドオフ５２０は、エッジ５１３ａ，５１３ｂ，５１３ｃ，５１３ｄの下端に設けられたナット５０２の下面５１０の４隅の１つから外側に延びている。各スタンドオフ５２０は、その突端部分５２２に概ね向かって延びている。勿論、ナット５０２にトルクを加える前にスタンドオフがナット５０２とケージ５０４間の面接触を低減するものである限り、スタンドオフ５２０は、任意の形状をとることができる。
【００７８】
ナット５０２はまた、ナット５０２の上面５０８から外側に延びた４つのスタンドオフ５２１を有することが好ましい。各スタンドオフ５２１は、エッジ５１３ａ，５１３ｂ，５１３ｃ，５１３ｄの上端に設けられたナット５０２の上面５０８の４隅の１つから外側に延びている。各スタンドオフ５２１は、その突端部分５２３に概ね向かって延びている。勿論、ナット５０２にトルクを加える前にスタンドオフがナット５０２とケージ５０４間の面接触を低減するものである限り、スタンドオフ５２１は、任意の形状をとることができる。
【００７９】
側壁５１２ｂ，５１２ｄが互いに内側に向かって且つ円筒部材５１４に向かって延びているので、エッジ５１３ａ，５１３ｂ，５１３ｃ，５１３ｄは、ナット５０２上のスタンドオフ５２５として作用する。このスタンドオフは、ナット５０２にトルクを加える前にナット５０２とケージ５０４間の面接触を低減する。
【００８０】
ナット５０２は、ナット部材を板部材内へ冷間形成、スタンピング、またはへら掛けすることによって形成されうる。ナット５０２はそれから、ナット５０２の材料の硬度に依存して、必要であれば、熱処理されることもある。
【００８１】
ケージ５０４は、ナット５０２を閉じ込めるために使用される。ナット５０２を閉じ込める前に、ケージ５０４は、概ね平坦な上および下面５２４，５２６を有している。ケージ５０４は、ベース部分５２８と、このベース部分５２８の対向する端部から延びた湾曲可能な第１及び第２のアーム部分５３０，５３２とを有する。第１及び第２のアーム部分５３０，５３２は、ベース部分５２８と一体的に形成されていることが好ましい。
【００８２】
ケージ５０４のベース部分５２８を通して開口（図示せず）が設けられている。そして、第１及び第２のアーム部分５３０，５３２は、概ね半円形の切り抜き部５３４，５３６をそれらの遊端５３８，５４０に有する。
【００８３】
ケージ５０４は、ナット５０２の材料よりも軟らかい材料で形成されている。
【００８４】
動作時に、図２６〜３０に最もよく示されているように、ナット５０２は、ベース部分５２８の上面５２４上に位置決めされ、スタンドオフ５２０の突端５２２がベース部分５２８の上面５２４と接触するナット５０２の唯一の部分となる。かくして、ケージ５０４のベース部分５２８の上面５２４とナット５０２の下面５１０との間にギャップ５４２が設けられる。
【００８５】
アーム部分５３０はそれから、側壁５１２ｄを取り巻いてナット５０２の上面５０８上で曲げられ、またアーム部分５３２は、側壁５１２ｂを取り巻いてナット５０２の上面５０８上で曲げられる。アーム部分５３０，５３２の遊端５３８，５４０は、典型的には離れて配置され、半円形の切り抜き部５３４，５３６は、互いに整列されている。ベース部分５２８を通して設けられた開口は、半円形の切り抜き部５３４，５３６の直径より大きいか等しい直径を有することが好ましい。ナット５０２の円筒部分５１４は、半円形の切り抜き部５３４，５３６を通して延びている。かくして、ケージ５０４は、ナット５０２を効果的に閉じ込めて、図２６〜３０に最もよく示されたケージナットアセンブリ５００を形成する。ケージ５０４のサイズは、ナット５０２の移動の範囲が少なくとも１次元に、好ましくは３次元に、例えば図２６に示されているように“Ｘ”，“Ｙ”および“Ｚ”軸方向に制限されるように、設定されている。
【００８６】
ケージ５０４のベース部分５２８の下面５２６はそれから、相手表面または構造部材（図示せず）、例えば自動車のフレームに溶着される。構造部材は、そこを通る開口（図示せず）を有する。この開口は、ケージ５０４のベース部分５２８を通して設けられた開口と整列している。構造部材の開口は、ベース部分５２８を通して設けられた開口の直径より大きいか等しい直径を有することが好ましい。構造部材とケージ５０４はそれから、典型的には構造部材に腐食または塗料被覆を加えることが予定された浴、例えばｅ−コートまたはＥＬＰＯ浴を通して送られる。ケージ５０４が浴を通して水平姿勢で送られるときに（図２８）、スタンドオフ５２０は、ナット５０２の下面５１０がケージ５０４のベース部分５２８の上面５２４上に平坦に座すことを防止し、かくしてケージ５０４とナット５０２間の支え面の界面の量を低減し、かくして被覆または溶着が完了した後にケージ５０４とナット５０２が互いに固着または接着する可能性を低減する。ケージ５０４が浴を通して裏返姿勢で送られるときに（図２９）、スタンドオフ５２１は、ナット５０２の上面５０８が、ナット５０２の上面５０８の上に曲げられているアーム部分５３０，５３２の部分５８０，５８２の上面５２４上に平坦に座すことを防止し、かくしてケージ５０４とナット５０２間の支え面の界面の量を低減し、かくして被覆または溶着が完了した後にケージ５０４とナット５０２が互いに固着または接着する可能性を低減する。ケージ５０４が浴を通して横向姿勢で送られるときに（図２７および３０）、スタンドオフ５２５は、ナット５０２の側壁５１２ｄ，５１２ｂが、ナット５０２の側壁５１２上に曲げられているアーム部分５３０，５３２の部分５８４，５８６の上面５２４上に平坦に座すことを防止し、かくしてケージ５０４とナット５０２間の支え面の界面の量を低減し、かくして被覆または溶着が完了した後にケージ５０４とナット５０２が互いに固着または接着する可能性を低減する。
【００８７】
それからナット５０２は、この発明の第１実施形態においてナット１０２がケージ１０４に固定される点ついてここで説明されたように、また図５および６に示されているように、ケージ５０４に固定されるので、簡潔さのためにここでは再度説明または図示されることはない。
【００８８】
かくして、ケージナットアセンブリ５００は、ケージナットアセンブリ５００が浴を通して水平姿勢、裏返姿勢、または横向姿勢のいずれかで送られるときに、ケージ５０４とナット５０２が互いに固着または接着する可能性を低減する。
【００８９】
図３１〜３７に最も良く示されている本発明のケージナットアセンブリ６００の第６実施形態に注目する。このケージナットアセンブリ６００は、ナット６０２と、ケージ６０４とを備える。
【００９０】
ナット６０２は、図３１〜３２に最も良く示されていて、板６０６を備える。この板は、概ね平坦な上面６０８と、概ね平坦な下面６１０と、上面および下面６０８，６１０を接続する４つの側壁６１２ａ，６１２ｂ，６１２ｃ，６１２ｄとを有する。側壁６１２ａはエッジ６１３ａで側壁６１２ｂに接続され、側壁６１２ｂはエッジ６１３ｂで側壁６１２ｃに接続され、側壁６１２ｃはエッジ６１３ｃで側壁６１２ｄに接続され、側壁６１２ｄはエッジ６１３ｄで側壁６１２ａに接続されている。側壁６１２ａ，６１２ｃは互いに対向しており、また概ね平面的である。側壁６１２ｂ，６１２ｄは互いに対向しているが、互いに内側に向かって、且つナット６０２の上面６０８から外側に延びた円筒部材６１４に向かって延びている。このため、ナット６０２は、上から見たときに、ボウタイ構成を有するように見える。図３２を参照されたい。
【００９１】
円筒部材６１４は、直円柱の形態であることが好ましい。ナット６０２を通して、板６０６から円筒部材６１４内へ開口６１６が延びている。開口６１６は、板６０６の下面６１０で閉鎖されるか、あるいは板６０６全体を通して延びることが好ましい。開口６１６は、開口壁６１８を規定する。この開口壁は、ネジ付きであること、並びにそこに取り付けられるボルトやネジ（図示せず）を受け入れ可能であることが好ましい。
【００９２】
ナット６０２はまた、ナット６０２の下面６１０から外側に延びた４つのスタンドオフ６２０を有することが好ましい。各スタンドオフ６２０は、エッジ６１３ａ，６１３ｂ，６１３ｃ，６１３ｄの下端に設けられたナット６０２の下面６１０の４隅の１つから外側に延びている。各スタンドオフ６２０は、その突端部分６２２に概ね向かって延びている。勿論、ナット６０２にトルクを加える前にスタンドオフがナット６０２とケージ６０４間の面接触を低減するものである限り、スタンドオフ６２０は、任意の形状をとることができる。
【００９３】
ナット６０２は、ナット６０２の上面６０８から外側に延びたスタンドオフ６２１を有することが好ましい。各スタンドオフ６２１はまた、丸い窪みの形状の突起の形状であることが好ましい。勿論、ナット６０２にトルクを加える前に、スタンドオフがナット６０２とケージ６０４間の面接触を低減するものである限り、スタンドオフ６２１は、窪み以外の形状、例えば丸いビード、リブ、また他の種類のスタンドオフ構造でもよい。ナット６０２は、ケージナットアセンブリ６００の所望の構造および動作に依存して、少なくとも１つのスタンドオフ６２１を上面６０８上に、好ましくは２つのスタンドオフ６２１を上面６０８上に、そして可能であれば２より多いスタンドオフ６２１を上面６０８上に有するべきである。
【００９４】
側壁６１２ｂ，６１２ｄが互いに内側に向かって且つ円筒部材６１４に向かって延びているので、エッジ６１３ａ，６１３ｂ，６１３ｃ，６１３ｄは、ナット６０２上のスタンドオフ６２５として作用する。このスタンドオフは、ナット６０２にトルクを加える前にナット６０２とケージ６０４間の面接触を低減する。
【００９５】
ナット６０２は、ナット部材を板部材内へ冷間形成、スタンピング、またはへら掛けすることによって形成されうる。ナット６０２はそれから、ナット６０２の材料の硬度に依存して、必要であれば、熱処理されることもある。
【００９６】
ケージ６０４は、ナット６０２を閉じ込めるために使用される。ナット６０２を閉じ込める前に、ケージ６０４は、概ね平坦な上および下面６２４，６２６を有している。ケージ６０４は、ベース部分６２８と、このベース部分６２８の対向する端部から延びた湾曲可能な第１及び第２のアーム部分６３０，６３２とを有する。第１及び第２のアーム部分６３０，６３２は、ベース部分６２８と一体的に形成されていることが好ましい。
【００９７】
ケージ６０４のベース部分６２８を通して開口（図示せず）が設けられている。そして、第１及び第２のアーム部分６３０，６３２は、概ね半円形の切り抜き部６３４，６３６をそれらの遊端６３８，６４０に有する。
【００９８】
ケージ６０４は、ナット６０２の材料よりも軟らかい材料で形成されている。
【００９９】
動作時に、図３３〜３７に最もよく示されているように、ナット６０２は、ベース部分６２８の上面６２４上に位置決めされ、スタンドオフ６２０の突端６２２がベース部分６２８の上面６２４と接触するナット６０２の唯一の部分となる。かくして、ケージ６０４のベース部分６２８の上面６２４とナット６０２の下面６１０との間にギャップ６４２が設けられる。
【０１００】
アーム部分６３０はそれから、側壁６１２ｄを取り巻いてナット６０２の上面６０８上で曲げられ、またアーム部分６３２は、側壁６１２ｂを取り巻いてナット６０２の上面６０８上で曲げられる。アーム部分６３０，６３２の遊端６３８，６４０は、典型的には離れて配置され、半円形の切り抜き部６３４，６３６は、互いに整列されている。ベース部分６２８を通して設けられた開口は、半円形の切り抜き部６３４，６３６の直径より大きいか等しい直径を有することが好ましい。ナット６０２の円筒部分６１４は、半円形の切り抜き部６３４，６３６を通して延びている。かくして、ケージ６０４は、ナット６０２を効果的に閉じ込めて、図３３〜３７に最もよく示されたケージナットアセンブリ６００を形成する。ケージ６０４のサイズは、ナット６０２の移動の範囲が少なくとも１次元に、好ましくは３次元に、例えば図３３に示されているように“Ｘ”，“Ｙ”および“Ｚ”軸方向に制限されるように、設定されている。
【０１０１】
ケージ６０４のベース部分６２８の下面６２６はそれから、相手表面または構造部材（図示せず）、例えば自動車のフレームに溶着される。構造部材は、そこを通る開口（図示せず）を有する。この開口は、ケージ６０４のベース部分６２８を通して設けられた開口と整列している。構造部材の開口は、ベース部分６２８を通して設けられた開口の直径より大きいか等しい直径を有することが好ましい。構造部材とケージ６０４はそれから、典型的には構造部材に腐食または塗料被覆を加えることが予定された浴、例えばｅ−コートまたはＥＬＰＯ浴を通して送られる。ケージ６０４が浴を通して水平姿勢で送られるときに（図３５）、スタンドオフ６２０は、ナット６０２の下面６１０がケージ６０４のベース部分６２８の上面６２４上に平坦に座すことを防止し、かくしてケージ６０４とナット６０２間の支え面の界面の量を低減し、かくして被覆または溶着が完了した後にケージ６０４とナット６０２が互いに固着または接着する可能性を低減する。ケージ６０４が浴を通して裏返姿勢で送られるときに（図３６）、スタンドオフ６２１は、ナット６０２の上面６０８が、ナット６０２の上面６０８の上に曲げられているアーム部分６３０，６３２の部分６８０，６８２の上面６２４上に平坦に座すことを防止し、かくしてケージ６０４とナット６０２間の支え面の界面の量を低減し、かくして被覆または溶着が完了した後にケージ６０４とナット６０２が互いに固着または接着する可能性を低減する。ケージ６０４が浴を通して横向姿勢で送られるときに（図３４および３７）、スタンドオフ６２５は、ナット６０２の側壁６１２ｄ，６１２ｂが、ナット６０２の側壁６１２上に曲げられているアーム部分６３０，６３２の部分６８４，６８６の上面６２４上に平坦に座すことを防止し、かくしてケージ６０４とナット６０２間の支え面の界面の量を低減し、かくして被覆または溶着が完了した後にケージ６０４とナット６０２が互いに固着または接着する可能性を低減する。
【０１０２】
それからナット６０２は、この発明の第１実施形態においてナット１０２がケージ１０４に固定される点ついてここで説明されたように、また図５および６に示されているように、ケージ６０４に固定されるので、簡潔さのためにここでは再度説明または図示されることはない。
【０１０３】
かくして、ケージナットアセンブリ６００は、ケージナットアセンブリ６００が浴を通して水平姿勢、裏返姿勢、または横向姿勢のいずれかで送られるときに、ケージ６０４とナット６０２が互いに固着または接着する可能性を低減する。
【０１０４】
図３８〜４３に最も良く示されている本発明のケージナットアセンブリ７００の第７実施形態に注目する。このケージナットアセンブリ７００は、ナット７０２と、ケージ７０４とを備える。
【０１０５】
ナット７０２は、図３８に最も良く示されていて、矩形の板７０６を備える。この板は、概ね平坦な上面７０８と、概ね平坦な下面７１０と、上面および下面７０８，７１０を接続する側壁７１２とを有する。ナット７０２はまた、ナット７０２の上面７０８から外側に延びた円筒部材７１４を備える。円筒部材７１４は、直円柱の形態であることが好ましい。ナット７０２を通して、板７０６から円筒部材７１４内へ開口７１６が延びている。開口７１６は、板７０６の下面７１０で閉鎖されるか、あるいは板７０６全体を通して延びることが好ましい。開口７１６は、開口壁７１８を規定する。この開口壁は、ネジ付きであること、並びにそこに取り付けられるボルトやネジ（図示せず）を受け入れ可能であることが好ましい。
【０１０６】
ナット７０２はまた、ナット７０２の下面７１０から外側に延びた４つのスタンドオフ７２０を有することが好ましい。各スタンドオフ７２０は、ナット７０２の下面７１０の４隅の１つから外側に延びている。各スタンドオフ７２０はまた、四面体の形状の突起の形状であって、スタンドオフ７２０の各々が、その突端部分７２２に概ね向かって延びていることが好ましい。勿論、ナット７０２にトルクを加える前に、スタンドオフがナット７０２とケージ７０４間の面接触を低減するものである限り、スタンドオフ７２０は、四面体以外の形状、例えば窪み、リブ、また他の種類のスタンドオフ構造でもよい。
【０１０７】
ナット７０２は、ナット部材を板部材内へ冷間形成、スタンピング、またはへら掛けすることによって形成されうる。ナット７０２はそれから、ナット７０２の材料の硬度に依存して、必要であれば、熱処理されることもある。
【０１０８】
ケージ７０４は、ナット７０２を閉じ込めるために使用される。ナット７０２を閉じ込める前に、ケージ７０４は、概ね平坦な上および下面７２４，７２６を有している。ケージ７０４は、ベース部分７２８と、このベース部分７２８の対向する端部から延びた湾曲可能な第１及び第２のアーム部分７３０，７３２とを有する。第１及び第２のアーム部分７３０，７３２は、ベース部分７２８と一体的に形成されていることが好ましい。第１のアーム部分７３０は、部分７８０と、部分７８４とを有する。第２のアーム部分７３２は、部分７８２と、部分７８６とを有する。
【０１０９】
ケージ７０４は、ケージ７０４の第１及び第２のアーム部分７３０，７３２の部分７８０，７８２の上面７２４からそれぞれ外側に延びたスタンドオフ７２１を有することが好ましい。各スタンドオフ７２１はまた、丸い窪みの形状の突起の形状であることが好ましい。勿論、ナット７０２にトルクを加える前に、スタンドオフがナット７０２とケージ７０４間の面接触を低減するものである限り、スタンドオフ７２１は、窪み以外の形状、例えば丸いビード、リブ、また他の種類のスタンドオフ構造でもよい。
【０１１０】
ケージ７０４は、ケージ７０４の第１及び第２のアーム部分７３０，７３２の部分７８４，７８６の上面７２４からそれぞれ外側に延びたスタンドオフ７２５を有することが好ましい。各スタンドオフ７２５はまた、丸い窪みの形状の突起の形状であることが好ましい。勿論、ナット７０２にトルクを加える前に、スタンドオフがナット７０２とケージ７０４間の面接触を低減するものである限り、スタンドオフ７２５は、窪み以外の形状、例えば丸いビード、リブ、また他の種類のスタンドオフ構造でもよい。
【０１１１】
ケージ７０４のベース部分７２８を通して開口（図示せず）が設けられている。そして、第１及び第２のアーム部分７３０，７３２は、概ね半円形の切り抜き部７３４，７３６をそれらの遊端７３８，７４０に有する。
【０１１２】
ケージ７０４は、ナット７０２の材料よりも軟らかい材料で形成されている。
【０１１３】
動作時に、図３９〜４３に最もよく示されているように、ナット７０２は、ベース部分７２８の上面７２４上に位置決めされ、スタンドオフ７２０の突端７２２がベース部分７２８の上面７２４と接触するナット７０２の唯一の部分となる。かくして、ケージ７０４のベース部分７２８の上面７２４とナット７０２の下面７１０との間にギャップ７４２が設けられる。
【０１１４】
アーム部分７３０，７３２の各部分７８４，７８６は、ナット７０２の側壁７１２の１つを取り巻いて曲げられる。また、アーム部分７３０，７３２の各部分７８０，７８２は、ナット７０２の上面７０８上で曲げられる。アーム部分７３０，７３２の遊端７３８，７４０は、典型的には離れて配置され、半円形の切り抜き部７３４，７３６は、互いに整列されている。ベース部分７２８を通して設けられた開口は、半円形の切り抜き部７３４，７３６の直径より大きいか等しい直径を有する。ナット７０２の円筒部分７１４は、半円形の切り抜き部７３４，７３６を通して延びている。かくして、ケージ７０４は、ナット７０２を効果的に閉じ込めて、図３９〜４３に最もよく示されたケージナットアセンブリ７００を形成する。ケージ７０４のサイズは、ナット７０２の移動の範囲が少なくとも１次元に、好ましくは３次元に、例えば図３９に示されているように“Ｘ”，“Ｙ”および“Ｚ”軸方向に制限されるように、設定されている。
【０１１５】
ケージ７０４のベース部分７２８の下面７２６はそれから、相手表面または構造部材（図示せず）、例えば自動車のフレームに溶着される。構造部材は、そこを通る開口（図示せず）を有する。この開口は、ケージ７０４のベース部分７２８を通して設けられた開口と整列している。構造部材の開口は、ケージ７０４のベース部分７２８を通して設けられた開口の直径より大きいか等しい直径を有することが好ましい。構造部材とケージ７０４はそれから、典型的には構造部材に腐食または塗料被覆を加えることが予定された浴、例えばｅ−コートまたはＥＬＰＯ浴を通して送られる。ケージ７０４が浴を通して水平姿勢で送られるときに（図４１）、スタンドオフ７２０は、ナット７０２の下面７１０がケージ７０４のベース部分７２８の上面７２４上に平坦に座すことを防止し、かくしてケージ７０４とナット７０２間の支え面の界面の量を低減し、かくして被覆または溶着が完了した後にケージ７０４とナット７０２が互いに固着または接着する可能性を低減する。ケージ７０４が浴を通して裏返姿勢で送られるときに（図４２）、スタンドオフ７２１は、ナット７０２の上面７０８が、ナット７０２の上面７０８の上に曲げられているアーム部分７３０，７３２の部分７８０，７８２の上面７２４上に平坦に座すことを防止し、かくしてケージ７０４とナット７０２間の支え面の界面の量を低減し、かくして被覆または溶着が完了した後にケージ７０４とナット７０２が互いに固着または接着する可能性を低減する。ケージ７０４が浴を通して横向姿勢で送られるときに（図４３）、スタンドオフ７２５は、ナット７０２の側壁７１２が、ナット７０２の側壁７１２上に曲げられているアーム部分７３０，７３２の部分７８４，７８６の上面７２４上に平坦に座すことを防止し、かくしてケージ７０４とナット７０２間の支え面の界面の量を低減し、かくして被覆または溶着が完了した後にケージ７０４とナット７０２が互いに固着または接着する可能性を低減する。
【０１１６】
それからナット７０２は、この発明の第１実施形態においてナット１０２がケージ１０４に固定される点ついてここで説明されたように、また図５および６に示されているように、ケージ７０４に固定されるので、簡潔さのためにここでは再度説明または図示されることはない。
【０１１７】
かくして、ケージナットアセンブリ７００は、ケージナットアセンブリ７００が浴を通して水平姿勢、裏返姿勢、または横向姿勢のいずれかで送られるときに、ケージ７０４とナット７０２が互いに固着または接着する可能性を低減する。
【０１１８】
図４４〜４９に最も良く示されている本発明のケージナットアセンブリ８００の第８実施形態に注目する。このケージナットアセンブリ８００は、ナット８０２と、ケージ８０４とを備える。
【０１１９】
ナット８０２は、図４４に最も良く示されていて、矩形の板８０６を備える。この板は、概ね平坦な上面８０８と、概ね平坦な下面８１０と、上面および下面８０８，８１０を接続する側壁８１２とを有する。ナット８０２はまた、ナット８０２の上面８０８から外側に延びた円筒部材８１４を備える。円筒部材８１４は、直円柱の形態であることが好ましい。ナット８０２を通して、板８０６から円筒部材８１４内へ開口８１６が延びている。開口８１６は、板８０６の下面８１０で閉鎖されるか、あるいは板８０６全体を通して延びることが好ましい。開口８１６は、開口壁８１８を規定する。この開口壁は、ネジ付きであること、並びにそこに取り付けられるボルトやネジ（図示せず）を受け入れ可能であることが好ましい。
【０１２０】
ナット８０２はまた、ナット８０２の下面８１０から外側に延びた４つのスタンドオフ８２０を有することが好ましい。各スタンドオフ８２０は、ナット８０２の下面８１０の４隅の１つから外側に延びている。各スタンドオフ８２０はまた、四面体の形状の突起の形状であって、スタンドオフ８２０の各々が、その突端部分８２２に概ね向かって延びていることが好ましい。勿論、ナット８０２にトルクを加える前に、スタンドオフがナット８０２とケージ８０４間の面接触を低減するものである限り、スタンドオフ８２０は、四面体以外の形状、例えば窪み、リブ、また他の種類のスタンドオフ構造でもよい。
【０１２１】
ナット８０２は、ナット部材を板部材内へ冷間形成、スタンピング、またはへら掛けすることによって形成されうる。ナット８０２はそれから、ナット８０２の材料の硬度に依存して、必要であれば、熱処理されることもある。
【０１２２】
ケージ８０４は、図４５に最も良く示されており、ナット８０２を閉じ込めるために使用される。ナット８０２を閉じ込める前に、ケージ８０４は、概ね平坦な上および下面８２４，８２６を有している。ケージ８０４は、ベース部分８２８と、このベース部分８２８の対向する端部から延びた湾曲可能な第１及び第２のアーム部分８３０，８３２とを有する。第１及び第２のアーム部分８３０，８３２は、ベース部分８２８と一体的に形成されていることが好ましい。第１のアーム部分８３０は、部分８８０と、部分８８４とを有する。第２のアーム部分８３２は、部分８８２と、部分８８６とを有する。
【０１２３】
ケージ８０４のベース部分８２８を通して開口８２９が設けられている。そして、第１及び第２のアーム部分８３０，８３２は、概ね半円形の切り抜き部８３４，８３６をそれらの遊端８３８，８４０に有する。
【０１２４】
ケージ８０４は、ケージ８０４の第１及び第２のアーム部分８３０，８３２の部分８８０，８８２の上面８２４からそれぞれ外側に延びたスタンドオフ８２１を有することが好ましい。スタンドオフ８２１は、湾曲可能なタブ部材の形態であることが好ましい。スタンドオフ８２１は、第１及び第２のアーム部分８３０，８３２の、概ね半円形の切り抜き部８３４，８３６が設けられた遊端８３８，８４０に設けられている。ケージ８０４は、４つのスタンドオフ８２１を有し、２つが半円形の切り抜き部８３４のいずれかの側の遊端８３８に設けられ、２つが半円形の切り抜き部８３６のいずれかの側の遊端８４０に設けられることが好ましい。勿論、ナット８０２にトルクを加える前に、スタンドオフ８２１が曲げられたときに、それらスタンドオフがナット８０２とケージ８０４間の面接触を低減するものである限り、スタンドオフ８２１は、三角形、四角形、丸形、またはそうでないくてもよい。勿論、スタンドオフ８２１は、設けられることが好ましい４以外の任意の数で設けることができる。この点は、更に理解されるべきである。例えば、２つのスタンドオフ８２１を設け、その内の１つを第１のアーム部分８３０の遊端８３８上に、またその内の１つを第２のアーム部分８３２の遊端８４０上に設けることができる。
【０１２５】
ケージ８０４は、ナット８０２の材料よりも軟らかい材料で形成されている。
【０１２６】
動作時に、図４６〜４９に最もよく示されているように、ナット８０２は、ベース部分８２８の上面８２４上に位置決めされ、スタンドオフ８２０の突端８２２がベース部分８２８の上面８２４と接触するナット８０２の唯一の部分となる。かくして、ケージ８０４のベース部分８２８の上面８２４とナット８０２の下面８１０との間にギャップ８４２が設けられる。
【０１２７】
アーム部分８３０，８３２の各部分８８４，８８６は、ナット８０２の側壁８１２の１つを取り巻いて曲げられる。また、アーム部分８３０，８３２の各部分８８０，８８２は、ナット８０２の上面８０８上で曲げられる。アーム部分８３０，８３２の遊端８３８，８４０は、典型的には離れて配置され、半円形の切り抜き部８３４，８３６は、互いに整列されている。スタンドオフ８２１は、ケージ部材８０４の第１および第２のアーム部分８３０，８３２の部分８８０，８９２が曲げられているよりもナット部材８０２の上面８０８に近くなるように、曲げられる。ベース部分８２８を通して設けられた開口は、半円形の切り抜き部８３４，８３６の直径より大きいか等しい直径を有する。ナット８０２の円筒部分８１４は、半円形の切り抜き部８３４，８３６を通して延びている。かくして、ケージ８０４は、ナット８０２を効果的に閉じ込めて、図４６〜４９に最もよく示されたケージナットアセンブリ８００を形成する。ケージ８０４のサイズは、ナット８０２の移動の範囲が少なくとも１次元に、好ましくは３次元に、例えば図４６に示されているように“Ｘ”，“Ｙ”および“Ｚ”軸方向に制限されるように、設定されている。
【０１２８】
ケージ８０４のベース部分８２８の下面８２６はそれから、相手表面または構造部材（図示せず）、例えば自動車のフレームに溶着される。構造部材は、そこを通る開口（図示せず）を有する。この開口は、ケージ８０４のベース部分８２８を通して設けられた開口と整列している。構造部材の開口は、ケージ８０４のベース部分８２８を通して設けられた開口の直径より大きいか等しい直径を有することが好ましい。構造部材とケージ８０４はそれから、典型的には構造部材に腐食または塗料被覆を加えることが予定された浴、例えばｅ−コートまたはＥＬＰＯ浴を通して送られる。ケージ８０４が浴を通して水平姿勢で送られるときに（図４８）、スタンドオフ８２０は、ナット８０２の下面８１０がケージ８０４のベース部分８２８の上面８２４上に平坦に座すことを防止し、かくしてケージ８０４とナット８０２間の支え面の界面の量を低減し、かくして被覆または溶着が完了した後にケージ８０４とナット８０２が互いに固着または接着する可能性を低減する。ケージ８０４が浴を通して裏返姿勢で送られるときに（図４９）、スタンドオフ８２１は、ナット８０２の上面８０８が、ナット８０２の上面８０８の上に曲げられているアーム部分８３０，８３２の部分８８０，８８２の上面８２４上に平坦に座すことを防止し、かくしてケージ８０４とナット８０２間の支え面の界面の量を低減し、かくして被覆または溶着が完了した後にケージ８０４とナット８０２が互いに固着または接着する可能性を低減する。
【０１２９】
それからナット８０２は、この発明の第１実施形態においてナット１０２がケージ１０４に固定される点ついてここで説明されたように、また図５および６に示されているように、ケージ８０４に固定されるので、簡潔さのためにここでは再度説明または図示されることはない。
【０１３０】
かくして、ケージナットアセンブリ８００は、ケージナットアセンブリ８００が浴を通して水平姿勢または裏返姿勢で送られるときに、ケージ８０４とナット８０２が互いに固着または接着する可能性を低減する。
【０１３１】
図５０〜５５に最も良く示されている本発明のケージナットアセンブリ９００の第９実施形態に注目する。このケージナットアセンブリ９００は、ナット９０２と、ケージ９０４とを備える。
【０１３２】
ナット９０２は、図５０に最も良く示されていて、矩形の板９０６を備える。この板は、概ね平坦な上面９０８と、概ね平坦な下面９１０と、上面および下面９０８，９１０を接続する側壁９１２とを有する。ナット９０２はまた、ナット９０２の上面９０８から外側に延びた円筒部材９１４を備える。円筒部材９１４は、直円柱の形態であることが好ましい。ナット９０２を通して、板９０６から円筒部材９１４内へ開口９１６が延びている。開口９１６は、板９０６の下面９１０で閉鎖されるか、あるいは板９０６全体を通して延びることが好ましい。開口９１６は、開口壁９１８を規定する。この開口壁は、ネジ付きであること、並びにそこに取り付けられるボルトやネジ（図示せず）を受け入れ可能であることが好ましい。
【０１３３】
ナット９０２はまた、ナット９０２の下面９１０から外側に延びた４つのスタンドオフ９２０を有することが好ましい。各スタンドオフ９２０は、ナット９０２の下面９１０の４隅の１つから外側に延びている。各スタンドオフ９２０はまた、四面体の形状の突起の形状であって、スタンドオフ９２０の各々が、その突端部分９２２に概ね向かって延びていることが好ましい。勿論、ナット９０２にトルクを加える前に、スタンドオフがナット９０２とケージ９０４間の面接触を低減するものである限り、スタンドオフ９２０は、四面体以外の形状、例えば窪み、リブ、また他の種類のスタンドオフ構造でもよい。
【０１３４】
ナット９０２は、ナット部材を板部材内へ冷間形成、スタンピング、またはへら掛けすることによって形成されうる。ナット９０２はそれから、ナット９０２の材料の硬度に依存して、必要であれば、熱処理されることもある。
【０１３５】
ケージ９０４は、ナット９０２を閉じ込めるために使用される。ナット９０２を閉じ込める前に、ケージ９０４は、概ね平坦な上および下面９２４，９２６を有している。ケージ９０４は、ベース部分９２８と、このベース部分９２８の対向する端部から延びた湾曲可能な第１及び第２のアーム部分９３０，９３２とを有する。第１及び第２のアーム部分９３０，９３２は、ベース部分９２８と一体的に形成されていることが好ましい。第１のアーム部分９３０は、部分９８０と、部分９８４とを有する。第２のアーム部分９３２は、部分９８２と、部分９８６とを有する。
【０１３６】
ケージ９０４のベース部分９２８を通して開口（図示せず）が設けられている。そして、第１及び第２のアーム部分９３０，９３２は、概ね半円形の切り抜き部９３４，９３６をそれらの遊端９３８，９４０に有する。
【０１３７】
ケージ９０４は、ケージ９０４の第１及び第２のアーム部分９３０，９３２の部分９８４，９８６の上面９２４からそれぞれ外側に延びたスタンドオフ９２５を有することが好ましい。スタンドオフ９２５は、第１及び第２のアーム部分９３０，９３２の部分９８４，９８６を鍛造または剪断することにより形成されたタブ部材の形態であることが好ましい。ケージ９０４は、鍛造または剪断されたタブ部材の形態の２つのスタンドオフ９２５を有し、１つが第１のアーム部分９３０の部分９８４の上面９２４上に設けられ、またもう１つが第２のアーム部分９３２の部分９８６の上面９２４上に設けられることが好ましい。勿論、ナット９０２にトルクを加える前に、スタンドオフ９２５がナット９０２とケージ９０４間の面接触を低減するものである限り、スタンドオフ９２５は、三角形、四角形、丸形、またはそうでないくてもよい。勿論、スタンドオフ９２５は、設けられることが好ましい２以外の任意の数で設けることができる。この点は、更に理解されるべきである。
【０１３８】
ケージ９０４は、ケージ９０４の第１及び第２のアーム部分９３０，９３２の部分９８０，９８２の上面９２４からそれぞれ外側に延びたスタンドオフ９２１を有することが好ましい。スタンドオフ９２１は、第１及び第２のアーム部分９３０，９３２の部分９８０，９８２を鍛造または剪断することにより形成されたタブ部材の形態であることが好ましい。ケージ９０４は、鍛造または剪断されたタブ部材の形態の４つのスタンドオフ９２１を有し、２つが第１のアーム部分９３０の部分９８０の上面９２４上に、１つを半円形の切り抜き部９３４のいずれかの側にして設けられ、またもう２つが第２のアーム部分９３２の部分９８２の上面９２４上に、１つを半円形の切り抜き部９３６のいずれかの側にして設けられることが好ましい。勿論、ナット９０２にトルクを加える前に、スタンドオフ９２１がナット９０２とケージ９０４間の面接触を低減するものである限り、スタンドオフ９２１は、三角形、四角形、丸形、またはそうでないくてもよい。勿論、スタンドオフ９２１は、設けられることが好ましい４以外の任意の数で設けることができる。この点は、更に理解されるべきである。
【０１３９】
ケージ９０４は、ナット９０２の材料よりも軟らかい材料で形成されている。
【０１４０】
動作時に、図５１〜５５に最もよく示されているように、ナット９０２は、ベース部分９２８の上面９２４上に位置決めされ、スタンドオフ９２０の突端９２２がベース部分９２８の上面９２４と接触するナット９０２の唯一の部分となる。かくして、ケージ９０４のベース部分９２８の上面９２４とナット９０２の下面９１０との間にギャップ９４２が設けられる。
【０１４１】
アーム部分９３０，９３２の各部分９８４，９８６は、ナット９０２の側壁９１２の１つを取り巻いて曲げられる。また、アーム部分９３０，９３２の各部分９８０，９８２は、ナット９０２の上面９０８上で曲げられる。アーム部分９３０，９３２の遊端９３８，９４０は、典型的には離れて配置され、半円形の切り抜き部９３４，７３６は、互いに整列されている。ベース部分９２８を通して設けられた開口は、半円形の切り抜き部９３４，９３６の直径より大きいか等しい直径を有する。ナット９０２の円筒部分９１４は、半円形の切り抜き部９３４，９３６を通して延びている。かくして、ケージ９０４は、ナット９０２を効果的に閉じ込めて、図５１〜５５に最もよく示されたケージナットアセンブリ９００を形成する。ケージ９０４のサイズは、ナット９０２の移動の範囲が少なくとも１次元に、好ましくは３次元に、例えば図５１および５２に示されているように“Ｘ”，“Ｙ”および“Ｚ”軸方向に制限されるように、設定されている。
【０１４２】
ケージ９０４のベース部分９２８の下面９２６はそれから、相手表面または構造部材（図示せず）、例えば自動車のフレームに溶着される。構造部材は、そこを通る開口（図示せず）を有する。この開口は、ケージ９０４のベース部分９２８を通して設けられた開口と整列している。構造部材の開口は、ケージ９０４のベース部分９２８を通して設けられた開口の直径より大きいか等しい直径を有することが好ましい。構造部材とケージ９０４はそれから、典型的には構造部材に腐食または塗料被覆を加えることが予定された浴、例えばｅ−コートまたはＥＬＰＯ浴を通して送られる。ケージ９０４が浴を通して水平姿勢で送られるときに（図５３）、スタンドオフ９２０は、ナット９０２の下面９１０がケージ９０４のベース部分９２８の上面９２４上に平坦に座すことを防止し、かくしてケージ９０４とナット９０２間の支え面の界面の量を低減し、かくして被覆または溶着が完了した後にケージ９０４とナット９０２が互いに固着または接着する可能性を低減する。ケージ９０４が浴を通して裏返姿勢で送られるときに（図５４）、スタンドオフ９２１は、ナット９０２の上面９０８が、ナット９０２の上面９０８の上に曲げられているアーム部分９３０，９３２の部分９８０，９８２の上面９２４上に平坦に座すことを防止し、かくしてケージ９０４とナット９０２間の支え面の界面の量を低減し、かくして被覆または溶着が完了した後にケージ９０４とナット９０２が互いに固着または接着する可能性を低減する。ケージ９０４が浴を通して横向姿勢で送られるときに（図５５）、スタンドオフ９２５は、ナット９０２の側壁９１２が、ナット９０２の側壁９１２上に曲げられているアーム部分９３０，９３２の部分９８４，９８６の上面９２４上に平坦に座すことを防止し、かくしてケージ９０４とナット９０２間の支え面の界面の量を低減し、かくして被覆または溶着が完了した後にケージ９０４とナット９０２が互いに固着または接着する可能性を低減する。
【０１４３】
それからナット９０２は、この発明の第１実施形態においてナット１０２がケージ１０４に固定される点ついてここで説明されたように、また図５および６に示されているように、ケージ９０４に固定されるので、簡潔さのためにここでは再度説明または図示されることはない。
【０１４４】
かくして、ケージナットアセンブリ９００は、ケージナットアセンブリ９００が浴を通して水平姿勢、裏返姿勢、または横向姿勢のいずれかで送られるときに、ケージ９０４とナット９０２が互いに固着または接着する可能性を低減する。
【０１４５】
図５６〜６３に最も良く示されている本発明のケージナットアセンブリ１０００の第１０実施形態に注目する。このケージナットアセンブリ１０００は、ナット１００２と、ケージ１００４とを備える。
【０１４６】
ナット１００２は、図５６に最も良く示されていて、矩形の板１００６を備える。この板は、概ね平坦な上面１００８と、概ね平坦な下面１０１０と、上面および下面１００８，１０１０を接続する側壁１０１２とを有する。ナット１００２はまた、ナット１００２の上面１００８から外側に延びた円筒部材１０１４を備える。円筒部材１０１４は、直円柱の形態であることが好ましい。ナット１００２を通して、板１００６から円筒部材１０１４内へ開口１０１６が延びている。開口１０１６は、板１００６の下面１０１０で閉鎖されるか、あるいは板１００６全体を通して延びることが好ましい。開口１０１６は、開口壁１０１８を規定する。この開口壁は、ネジ付きであること、並びにそこに取り付けられるボルトやネジ（図示せず）を受け入れ可能であることが好ましい。
【０１４７】
ナット１００２はまた、ナット１００２の下面１０１０から外側に延びた４つのスタンドオフ１０２０を有することが好ましい。各スタンドオフ１０２０は、ナット１００２の下面１０１０の４隅の１つから外側に延びている。各スタンドオフ１０２０はまた、四面体の形状の突起の形状であって、スタンドオフ１０２０の各々が、その突端部分１０２２に概ね向かって延びていることが好ましい。勿論、ナット１００２にトルクを加える前に、スタンドオフがナット１００２とケージ１００４間の面接触を低減するものである限り、スタンドオフ１０２０は、四面体以外の形状、例えば窪み、リブ、また他の種類のスタンドオフ構造でもよい。
【０１４８】
ナット１００２は、ナット部材を板部材内へ冷間形成、スタンピング、またはへら掛けすることによって形成されうる。ナット１００２はそれから、ナット１００２の材料の硬度に依存して、必要であれば、熱処理されることもある。
【０１４９】
ケージ１００４は、図５７〜５９に最も良く示されており、ナット１００２を閉じ込めるために使用される。ナット１００２を閉じ込める前に、ケージ１００４は、概ね平坦な上および下面１０２４，１０２６を有している。ケージ１００４は、ベース部分１０２８と、このベース部分１０２８の対向する端部から延びた湾曲可能な第１及び第２のアーム部分１０３０，１０３２とを有する。第１及び第２のアーム部分１０３０，１０３２は、ベース部分１０２８と一体的に形成されていることが好ましい。第１のアーム部分１０３０は、部分１０８０と、部分１０８４とを有する。第２のアーム部分１０３２は、部分１０８２と、部分１０８６とを有する。
【０１５０】
ケージ１００４のベース部分１０２８を通して開口１０２９が設けられている。そして、第１及び第２のアーム部分１０３０，１０３２は、概ね半円形の切り抜き部１０３４，１０３６をそれらの遊端１０３８，１０４０に有する。
【０１５１】
ケージ１００４は、ベース部分１０２８の開口１０２９の回りの上面１０２４からそれぞれ外側に延びたスタンドオフ１０２１を有することが好ましい。スタンドオフ１０２１は、図５７および５９に最も良く示されているように、ベース部分１０２８をベース部分１０２８の開口１０２９の回りで引き下げることにより形成された傾斜または湾曲されたフランジであることが好ましい。この場合、ケージ１００４の下面１０２６における開口１０２９の直径は、スタンドオフ１０２１の遊端における開口１０２９の直径よりも大きい。勿論、ナット１００２にトルクを加える前に、スタンドオフがナット１００２とケージ１００４間の面接触を低減するものである限り、スタンドオフ１０２１は、ベース部分１０２８を引き下げることによる手法以外で形成することもできる。勿論、スタンドオフ１０２１は、設けられることが好ましい１以外の任意の数で設けることができる。この点は、更に理解されるべきである。
【０１５２】
ケージ１００４は、ナット１００２の材料よりも軟らかい材料で形成されている。
【０１５３】
動作時に、図６０〜６３に最もよく示されているように、ナット１００２の円筒部分１０１４は、ケージ１００４のベース部分１０２８の開口１０２９を通して位置決めされ、ナット１００２の上面１００８はケージ１００４のベース部分１０２８の上面１０２４に面する。
【０１５４】
アーム部分１０３０，１０３２の各部分１０８４，１０８６は、ナット１００２の側壁１０１２の１つを取り巻いて曲げられる。また、アーム部分１０３０，１０３２の各部分１０８０，１０８２は、ナット１００２の下面１０１０上で曲げられる。アーム部分１０３０，１０３２の遊端１０３８，１０４０は、典型的には離れて配置され、半円形の切り抜き部１０３４，１０３６は、互いに整列されている。かくして、ケージ１００４は、ナット１００２を効果的に閉じ込めて、図６０〜６３に最もよく示されたケージナットアセンブリ１０００を形成する。ケージ１００４のサイズは、ナット１００２の移動の範囲が少なくとも１次元に、好ましくは３次元に、例えば図６０に示されているように“Ｘ”，“Ｙ”および“Ｚ”軸方向に制限されるように、設定されている。
【０１５５】
ケージ１００４がナット１００２を閉じ込めるときに、ナットは、第１のアーム部分１０３０の部分１０８０の上面１０２４上および第２のアーム部分１０３２の部分１０８２の上面１０２４上に位置決めされ、スタンドオフ１０２０の突端１０２２が第１および第２のアーム部分１０３０，１０３２の上面１０２４と接触するナット１００２の唯一の部分となる。かくして、ケージ１００４の第１及び第２のアーム部分１０３０，１０３２の上面１０２４とナット１００２の下面１０１０との間にギャップ１０４２が設けられる。
【０１５６】
ケージ１００４の第１及び第２のアーム部分１０３０，１０３２の部分１０８０，１０８２の下面１０２６はそれから、相手表面または構造部材（図示せず）、例えば自動車のフレームに溶着される。構造部材は、そこを通る開口（図示せず）を有する。この開口は、ケージ１００４の第１及び第２のアーム部分１０３０，１０３２の半円形の切り抜き部１０３４，１０３６と整列している。構造部材とケージ１００４はそれから、典型的には構造部材に腐食または塗料被覆を加えることが予定された浴、例えばｅ−コートまたはＥＬＰＯ浴を通して送られる。ケージ１００４が浴を通して水平姿勢で送られるときに（図６２）、スタンドオフ１０２０は、ナット１００２の下面１０１０がケージ１００４の第１及び第２のアーム部分１０３０，１０３２の部分１０８０，１０８２の上面１０２４上に平坦に座すことを防止し、かくしてケージ１００４とナット１００２間の支え面の界面の量を低減し、かくして被覆または溶着が完了した後にケージ１００４とナット１００２が互いに固着または接着する可能性を低減する。ケージ１００４が浴を通して裏返姿勢で送られるときに（図６３）、スタンドオフ１０２１は、ナット１００２の上面１００８が、ケージ１００４のベース部分１０２８の上面１０２４上に平坦に座すことを防止し、かくしてケージ１００４とナット１００２間の支え面の界面の量を低減し、かくして被覆または溶着が完了した後にケージ１００４とナット１００２が互いに固着または接着する可能性を低減する。
【０１５７】
それからナット１００２は、この発明の第１実施形態においてナット１０２がケージ１０４に固定される点ついてここで説明されたように、また図５および６に示されているように、ケージ１００４に固定されるので、簡潔さのためにここでは再度説明または図示されることはない。
【０１５８】
かくして、ケージナットアセンブリ１０００は、ケージナットアセンブリ１０００が浴を通して水平姿勢または裏返姿勢で送られるときに、ケージ１００４とナット１００２が互いに固着または接着する可能性を低減する。
【０１５９】
図６４〜６８に最も良く示されている本発明のケージナットアセンブリ１１００の第１１実施形態に注目する。このケージナットアセンブリ１１００は、ナット１１０２と、ケージ１１０４とを備える。
【０１６０】
ナット１１０２は、図６４に最も良く示されていて、矩形の板１１０６を備える。この板は、概ね平坦な上面１１０８と、概ね平坦な下面１１１０と、上面および下面１１０８，１１１０を接続する側壁１１１２とを有する。ナット１１０２はまた、ナット１１０２の上面１１０８から外側に延びると共に、上面１１１５を有した部材１１１４を備える。ナット１１０２を通して、板１１０６から部材１１１４内へ開口１１１６が延びている。開口１１１６は、板１１０６の下面１１１０で閉鎖されるか、あるいは板１１０６全体を通して延びることが好ましい。開口１１１６は、開口壁１１１８を規定する。この開口壁は、ネジ付きであること、並びにそこに取り付けられるボルトやネジ（図示せず）を受け入れ可能であることが好ましい。
【０１６１】
ナット１１０２はまた、ナット１１０２の下面１１１０から外側に延びたスタンドオフ１１２０を有することが好ましい。各スタンドオフ１１２０は、好ましくはナット１１０２の下面１１１０の４隅の１つから、外側に延びている。ナット１１０２にトルクを加える前に、スタンドオフがナット１１０２とケージ１１０４間の面接触を低減するものである限り、スタンドオフ１１２０は任意の形態でよい。
【０１６２】
ナット１１０２は、ナット部材を板部材内へ冷間形成、スタンピング、またはへら掛けすることによって形成されうる。ナット１１０２はそれから、ナット１１０２の材料の硬度に依存して、必要であれば、熱処理されることもある。
【０１６３】
ケージ１１０４は、図６５に最もよく示されていて、ナット１１０２を閉じ込めるために使用される。ケージ１１０４は、内および外面１１２４，１１２６を有する。ケージ１１０４は、ベース部分１１２８と、このベース部分１１２８の対向する端部から延びた第１及び第２のアーム部分１１３０，１１３２とを有する。ベース部分１１２８は、そこに形成された少なくとも１つの切り欠き１１９２を有し、少なくとも１つのアーム部分１１９４がベース部分１１２８に形成されることが好ましい。第１及び第２のアーム部分１１３０，１１３２は、ベース部分１１２８と一体的に形成されていることが好ましい。第１のアーム部分１１３０は、部分１１８０と、部分１１８４とを有する。第２のアーム部分１１３２は、部分１１８２と、部分１１８６とを有する。部分１１８４，１１８６は、ベース部分１１２８から傾けられ、また部分１１８０，１１８２はそれぞれ部分１１８４，１１８６に対し概ね直交している。
【０１６４】
アーム部分１１３０，１１３２の部分１１８０，１１８２の遊端１１３８，１１４０は、それぞれ互いに接近して、好ましくは互いに隣対して位置決めされて、それらの間にシーム１１３９を形成する。ケージ１１０４のベース部分１１２８を通して開口（図示せず）が設けられている。そして、第１及び第２のアーム部分１１３０，１１３２は、それらの遊端１１３８，１１４０に概ね半円形の切り抜き部（図示せず）を有する。これらは、アーム部分１１３０，１１３２の遊端１１３８，１１４０が互いに接近して、または互いに隣対して位置決めされたときに、一緒になって概ね円形の開口部を形成する。
【０１６５】
ケージ１１０４は、ケージ１１０４のベース部分１１２８の内面１１２４から外側に延びたスタンドオフ１１２１を有することが好ましい。各スタンドオフ１１２１はまた、丸い窪みの形状の突起の形状であることが好ましい。勿論、ナット１１０２にトルクを加える前に、スタンドオフがナット１１０２とケージ１１０４間の面接触を低減するものである限り、スタンドオフ１１２１は、窪み以外の形状、例えば丸いビード、リブ、また他の種類のスタンドオフ構造でもよい。
【０１６６】
ケージ１１０４は、ケージ１１０４の第１及び第２のアーム部分１１３０，１１３２の部分１１８４，１１８６の内面１１２４からそれぞれ外側に延びたスタンドオフ１１２５を有することが好ましい。各スタンドオフ１１２５はまた、丸い窪みの形状の突起の形状であることが好ましい。勿論、ナット１１０２にトルクを加える前に、スタンドオフがナット１１０２とケージ１１０４間の面接触を低減するものである限り、スタンドオフ１１２５は、窪み以外の形状、例えば丸いビード、リブ、また他の種類のスタンドオフ構造でもよい。
【０１６７】
ケージ１１０４は、ナット１１０２の材料よりも軟らかい材料で形成されている。
【０１６８】
動作時に、図６６〜６８に最もよく示されているように、ナット１１０２は、ケージ１１０４のベース部分１１２８とアーム部分１１３０，１１３２との間に滑入される。この場合、ナット１１０２の下面１１０８は、アーム部分１１３０，１１３２の部分１１８０，１１８２の内面１１２４にそれぞれ面する。ナット１１０２上のスタンドオフ１１２０は、ナット１１０２とアーム部分１１３０，１１３２の部分１１８０，１１８２の内面１１２４との間にそれぞれ最小の面接触を与える。これにより、アーム部分１１３０，１１３２の部分１１８０，１１８２の内面１１２４とナット１１０２の下面１１１０との間にそれぞれギャップ１１４２が設けられる。
【０１６９】
ベース部分１１２８の少なくとも１つのアーム部分１１９４はそれから、アーム部分１１３０，１１３２の部分１１８０，１１８２にそれぞれ向かって曲げられる。これは、ナット１１０２をケージ１１０４内に保持するためである。ここで留意されるべき点は、必要であればアーム部分１１９４を定位置に曲げ戻して、ナット１１０２をケージ１１０４から取り外すことができる、ということである。かくして、ケージ１１０４は、ナット１１０２を効果的に閉じ込めて、図６６〜６８に最もよく示されたケージナットアセンブリ１１００を形成する。ケージ１１０４のサイズは、ナット１１０２の移動の範囲が少なくとも１次元に、好ましくは３次元になるように設定されている。
【０１７０】
ケージ１１０４のアーム部分１１３０，１１３２の部分１１８０，１１８２の外面１１２６はそれから、相手表面または構造部材（図示せず）、例えば自動車のフレームに溶着される。このとき、アーム部分１１３０，１１３２の部分１１８０，１１８２の間に設けられたシーム１１３９もまた一緒に溶着される。構造部材は、そこを通る開口（図示せず）を有する。この開口は、ケージ１１０４の半円形切り抜き部によって形成された開口部と整列している。構造部材とケージ１１０４はそれから、典型的には構造部材に腐食または塗料被覆を加えることが予定された浴、例えばｅ−コートまたはＥＬＰＯ浴を通して送られる。ケージ１１０４が浴を通して水平姿勢で送られるときに（図６６）、スタンドオフ１１２０は、ナット１１０２の下面１１１０がケージ１１０４のアーム部分１１３０，１１３２の部分１１８０，１１８２の内面１１２４上に平坦に座すことを防止し、かくしてケージ１１０４とナット１１０２間の支え面の界面の量を低減し、かくして被覆または溶着が完了した後にケージ１１０４とナット１１０２が互いに固着または接着する可能性を低減する。ケージ１１０４が浴を通して裏返姿勢で送られるときに（図６７）、スタンドオフ１１２１は、ナット１１０２の上面１１１５がベース部分１１２８の内面１１２４上に平坦に座すことを防止し、かくしてケージ１１０４とナット１１０２間の支え面の界面の量を低減し、かくして被覆または溶着が完了した後にケージ１１０４とナット１１０２が互いに固着または接着する可能性を低減する。ケージ１１０４が浴を通して横向姿勢で送られるときに（図６８）、スタンドオフ１１２５は、ナット１１０２の側壁１１１２がアーム部分１１３０，１１３２の部分１１８４，１１８６の内面１１２４上に平坦に座すことを防止し、かくしてケージ１１０４とナット１１０２間の支え面の界面の量を低減し、かくして被覆または溶着が完了した後にケージ１１０４とナット１１０２が互いに固着または接着する可能性を低減する。
【０１７１】
それからナット１１０２は、この発明の第１実施形態においてナット１０２がケージ１０４に固定される点ついてここで説明されたように、また図５および６に示されているように、ケージ１１０４に固定されるので、簡潔さのためにここでは再度説明または図示されることはない。
【０１７２】
かくして、ケージナットアセンブリ１１００は、ケージナットアセンブリ１１００が浴を通して水平姿勢、裏返姿勢、または横向姿勢のいずれかで送られるときに、ケージ１１０４とナット１１０２が互いに固着または接着する可能性を低減する。
【０１７３】
ここで留意されるべき点は、ケージナットアセンブリ１００，２００，３００，４００，５００，６００，７００，８００，９００，１０００が浴を通して任意の姿勢で送られるときに、それらがナット１０２，２０２，３０２，４０２，５０２，６０２，７０２，８０２，９０２，１００２とケージ１０４，２０４，３０４，４０４，５０４，６０４，７０４，８０４，９０４，１００４との固着可能性を有効に低減する限り、ケージナットアセンブリ１１００のケージ１１０４およびナット１１０２の一般的構造は、必要であれば、ケージナットアセンブリ１００，２００，３００，４００，５００，６００，７００，８００，９００，１０００にも使用することができる、ということである。
【０１７４】
かくして、ケージナットアセンブリ１００，２００，３００，４００，５００，６００，７００，８００，９００，１０００，１１００は、ナット１０２，２０２，３０２，４０２，５０２，６０２，７０２，８０２，９０２，１００２，１１０２が定位置でトルクを与えられた後に、ナット１０２，２０２，３０２，４０２，５０２，６０２，７０２，８０２，９０２，１００２，１１０２とケージ１０４，２０４，３０４，４０４，５０４，６０４，７０４，８０４，９０４，１００４，１１０４との間に従来技術のケージナットアセンブリよりも強い接合を与える。ケージナットアセンブリ１００，２００，３００，４００，５００，６００，７００，８００，９００，１０００，１１００はまた、従来技術のケージナットアセンブリよりも少ない製造コストおよび少ない部品で済み、かくして本発明のケージナットアセンブリ１００，２００，３００，４００，５００，６００，７００，８００，９００，１０００，１１００を安価に作ることができるようにする。ケージナットアセンブリ１００，２００，３００，４００，５００，６００，７００，８００，９００，１０００，１１００はまた、浴が適用された後に、ナット１０２，２０２，３０２，４０２，５０２，６０２，７０２，８０２，９０２，１００２，１１０２がケージ１０４，２０４，３０４，４０４，５０４，６０４，７０４，８０４，９０４，１００４，１１０４に固着する可能性を効果的に低減する。
【０１７５】
ここで留意されるべき点は、上記で設けられたスタンドオフの構成のいずれでも、ナットおよび／またはケージ上に設けられたスタンドオフの構成が浴適用後にナットがケージに固着する可能性を効果的に低減する限り、望む通りに混合され且つ他のスタンドオフの構成に適合され得ること、またナットまたはケージの表面に設けられたスタンドオフの数は望む通りに変更され得ること、さらにスタンドオフはどの表面からでも除去され得ることである。
【０１７６】
ここで更に留意されるべき点は、ナットおよび／またはケージの構成は、ケージがナットをその中に保持して、ナットを少なくとも１つの方向に移動可能にして公差変化を斟酌し、また雄ネジ型締結具による係合を可能とするように構成されている限り、ここに図示および記載されたものと異なるようにされ得る。
【０１７７】
本発明の好ましい実施形態がここに図示および記載されたが、先の説明および添付された請求の範囲の精神及び範囲を逸脱すること無しに、当業者が種々の変形例を工夫することは想像される。
【図面の簡単な説明】
【０１７８】
【図１】この発明の第１実施形態のナットの斜視図である。
【図２】この発明の第１実施形態のケージナットアセンブリの斜視図である。
【図３】この発明の第１実施形態のケージナットアセンブリの上平面図である。
【図４】この発明の第１実施形態のケージナットアセンブリの図３の線４−４に沿った立側断面図であり、ナットが定位置でトルクを与えられる前の状態であり、且つケージナットアセンブリが浴を通して水平姿勢で移動する前の状態である。
【図５】この発明の第１実施形態のケージナットアセンブリの図３の線４−４に沿った立側断面図であり、ナットが定位置でトルクを与えられた後の状態であり、ナットは構造部材およびシート取付部材をケージナットアセンブリに固定している。
【図６】この発明の第１実施形態のケージナットアセンブリの図３の線６−６に沿った立側断面図であり、ナットが定位置でトルクを与えられた後の状態であり、ナットは構造部材およびシート取付部材をケージナットアセンブリに固定している。
【図７】この発明の第２実施形態のナットの斜視図である。
【図８】この発明の第２実施形態のケージナットアセンブリの斜視図である。
【図９】この発明の第２実施形態のケージナットアセンブリの上平面図である。
【図１０】この発明の第２実施形態のケージナットアセンブリの図９の線１０−１０に沿った立側断面図であり、ナットが定位置でトルクを与えられる前の状態であり、且つケージナットアセンブリが浴を通して水平姿勢で移動する前の状態である。
【図１１】この発明の第２実施形態のケージナットアセンブリの図９の線１０−１０に沿った立側断面図であり、ナットが定位置でトルクを与えられた後の状態であり、ナットは構造部材およびシート取付部材をケージナットアセンブリに固定している。
【図１２】この発明の第２実施形態のケージナットアセンブリの図９の線１２−１２に沿った立側断面図であり、ナットが定位置でトルクを与えられた後の状態であり、ナットは構造部材およびシート取付部材をケージナットアセンブリに固定している。
【図１３】この発明の第３実施形態のナットの斜視図である。
【図１４】この発明の第３実施形態のケージナットアセンブリの斜視図である。
【図１５】この発明の第３実施形態のケージナットアセンブリの上平面図である。
【図１６】この発明の第３実施形態のケージナットアセンブリの図１５の線１６−１６に沿った立側断面図であり、ナットが定位置でトルクを与えられる前の状態であり、且つケージナットアセンブリが浴を通して水平姿勢で移動する前の状態である。
【図１７】この発明の第３実施形態のケージナットアセンブリの立側断面図であり、ナットが定位置でトルクを与えられる前の状態であり、且つケージナットアセンブリが浴を通して裏返姿勢で移動する前の状態である。
【図１８】この発明の第４実施形態のナットの斜視図である。
【図１９】この発明の第４実施形態のケージナットアセンブリの斜視図である。
【図２０】この発明の第４実施形態のケージナットアセンブリの上平面図である。
【図２１】この発明の第４実施形態のケージナットアセンブリの図２０の線２１−２１に沿った立側断面図であり、ナットが定位置でトルクを与えられる前の状態であり、且つケージナットアセンブリが浴を通して水平姿勢で移動する前の状態である。
【図２２】この発明の第４実施形態のケージナットアセンブリの立側断面図であり、ナットが定位置でトルクを与えられる前の状態であり、且つケージナットアセンブリが浴を通して裏返姿勢で移動する前の状態である。
【図２３】この発明の第４実施形態のケージナットアセンブリの立側断面図であり、ナットが定位置でトルクを与えられる前の状態であり、且つケージナットアセンブリが浴を通して横向姿勢で移動する前の状態である。
【図２４】この発明の第５実施形態のナットの斜視図である。
【図２５】この発明の第５実施形態のナットの上平面図である。
【図２６】この発明の第５実施形態のケージナットアセンブリの斜視図である。
【図２７】この発明の第５実施形態のケージナットアセンブリの上平面図である。
【図２８】この発明の第５実施形態のケージナットアセンブリの図２７の線２８−２８に沿った立側断面図であり、ナットが定位置でトルクを与えられる前の状態であり、且つケージナットアセンブリが浴を通して水平姿勢で移動する前の状態である。
【図２９】この発明の第５実施形態のケージナットアセンブリの立側断面図であり、ナットが定位置でトルクを与えられる前の状態であり、且つケージナットアセンブリが浴を通して裏返姿勢で移動する前の状態である。
【図３０】この発明の第５実施形態のケージナットアセンブリの立側断面図であり、ナットが定位置でトルクを与えられる前の状態であり、且つケージナットアセンブリが浴を通して横向姿勢で移動する前の状態である。
【図３１】この発明の第６実施形態のナットの斜視図である。
【図３２】この発明の第６実施形態のナットの上平面図である。
【図３３】この発明の第６実施形態のケージナットアセンブリの斜視図である。
【図３４】この発明の第６実施形態のケージナットアセンブリの上平面図である。
【図３５】この発明の第６実施形態のケージナットアセンブリの図３４の線３５−３５に沿った立側断面図であり、ナットが定位置でトルクを与えられる前の状態であり、且つケージナットアセンブリが浴を通して水平姿勢で移動する前の状態である。
【図３６】この発明の第６実施形態のケージナットアセンブリの立側断面図であり、ナットが定位置でトルクを与えられる前の状態であり、且つケージナットアセンブリが浴を通して裏返姿勢で移動する前の状態である。
【図３７】この発明の第６実施形態のケージナットアセンブリの立側断面図であり、ナットが定位置でトルクを与えられる前の状態であり、且つケージナットアセンブリが浴を通して横向姿勢で移動する前の状態である。
【図３８】この発明の第７実施形態のナットの斜視図である。
【図３９】この発明の第７実施形態のケージナットアセンブリの斜視図である。
【図４０】この発明の第７実施形態のケージナットアセンブリの上平面図である。
【図４１】この発明の第７実施形態のケージナットアセンブリの図４０の線４１−４１に沿った立側断面図であり、ナットが定位置でトルクを与えられる前の状態であり、且つケージナットアセンブリが浴を通して水平姿勢で移動する前の状態である。
【図４２】この発明の第７実施形態のケージナットアセンブリの立側断面図であり、ナットが定位置でトルクを与えられる前の状態であり、且つケージナットアセンブリが浴を通して裏返姿勢で移動する前の状態である。
【図４３】この発明の第７実施形態のケージナットアセンブリの立側断面図であり、ナットが定位置でトルクを与えられる前の状態であり、且つケージナットアセンブリが浴を通して横向姿勢で移動する前の状態である。
【図４４】この発明の第８実施形態のナットの斜視図である。
【図４５】この発明の第８実施形態のケージの斜視図である。
【図４６】この発明の第８実施形態のケージナットアセンブリの斜視図である。
【図４７】この発明の第８実施形態のケージナットアセンブリの上平面図である。
【図４８】この発明の第８実施形態のケージナットアセンブリの図４７の線４８−４８に沿った立側断面図であり、ナットが定位置でトルクを与えられる前の状態であり、且つケージナットアセンブリが浴を通して水平姿勢で移動する前の状態である。
【図４９】この発明の第８実施形態のケージナットアセンブリの立側断面図であり、ナットが定位置でトルクを与えられる前の状態であり、且つケージナットアセンブリが浴を通して裏返姿勢で移動する前の状態である。
【図５０】この発明の第９実施形態のナットの斜視図である。
【図５１】この発明の第９実施形態のケージナットアセンブリの上平面図である。
【図５２】この発明の第９実施形態のケージナットアセンブリの側平面図である。
【図５３】この発明の第９実施形態のケージナットアセンブリの図５１の線５３−５３に沿った立側断面図であり、ナットが定位置でトルクを与えられる前の状態であり、且つケージナットアセンブリが浴を通して水平姿勢で移動する前の状態である。
【図５４】この発明の第９実施形態のケージナットアセンブリの立側断面図であり、ナットが定位置でトルクを与えられる前の状態であり、且つケージナットアセンブリが浴を通して裏返姿勢で移動する前の状態である。
【図５５】この発明の第９実施形態のケージナットアセンブリの立側断面図であり、ナットが定位置でトルクを与えられる前の状態であり、且つケージナットアセンブリが浴を通して横向姿勢で移動する前の状態である。
【図５６】この発明の第１０実施形態のナットの斜視図である。
【図５７】この発明の第１０実施形態のケージの斜視図である。
【図５８】この発明の第１０実施形態のケージの側立面図である。
【図５９】この発明の第１０実施形態の図５８の線５９−５９に沿ったケージの断面図である。
【図６０】この発明の第１０実施形態のケージナットアセンブリの斜視図である。
【図６１】この発明の第１０実施形態のケージナットアセンブリの上平面図である。
【図６２】この発明の第１０実施形態のケージナットアセンブリの図６１の線６２−６２に沿った立側断面図であり、ナットが定位置でトルクを与えられる前の状態であり、且つケージナットアセンブリが浴を通して水平姿勢で移動する前の状態である。
【図６３】この発明の第１０実施形態のケージナットアセンブリの立側断面図であり、ナットが定位置でトルクを与えられる前の状態であり、且つケージナットアセンブリが浴を通して裏返姿勢で移動する前の状態である。
【図６４】この発明の第１１実施形態のナットの立側面図である。
【図６５】この発明の第１１実施形態のケージの立側面図である。
【図６６】この発明の第１１実施形態のケージナットアセンブリの立側面図であり、ナットが定位置でトルクを与えられる前の状態であり、且つケージナットアセンブリが浴を通して水平姿勢で移動する前の状態である。
【図６７】この発明の第１１実施形態のケージナットアセンブリの立側面図であり、ナットが定位置でトルクを与えられる前の状態であり、且つケージナットアセンブリが浴を通して裏返姿勢で移動する前の状態である。
【図６８】この発明の第１１実施形態のケージナットアセンブリの立側面図であり、ナットが定位置でトルクを与えられる前の状態であり、且つケージナットアセンブリが浴を通して横向姿勢で移動する前の状態である。
【図１】
2007536470.tif 000003
【図２】
2007536470.tif 000004
【図３】
2007536470.tif 000005
【図４】
2007536470.tif 000006
【図５】
2007536470.tif 000007
【図６】
2007536470.tif 000008
【図７】
2007536470.tif 000009
【図８】
2007536470.tif 000010
【図９】
2007536470.tif 000011
【図１０】
2007536470.tif 000012
【図１１】
2007536470.tif 000013
【図１２】
2007536470.tif 000014
【図１３】
2007536470.tif 000015
【図１４】
2007536470.tif 000016
【図１５】
2007536470.tif 000017
【図１６】
2007536470.tif 000018
【図１７】
2007536470.tif 000019
【図１８】
2007536470.tif 000020
【図１９】
2007536470.tif 000021
【図２０】
2007536470.tif 000022
【図２１】
2007536470.tif 000023
【図２２】
2007536470.tif 000024
【図２３】
2007536470.tif 000025
【図２４】
2007536470.tif 000026
【図２５】
2007536470.tif 000027
【図２６】
2007536470.tif 000028
【図２７】
2007536470.tif 000029
【図２８】
2007536470.tif 000030
【図２９】
2007536470.tif 000031
【図３０】
2007536470.tif 000032
【図３１】
2007536470.tif 000033
【図３２】
2007536470.tif 000034
【図３３】
2007536470.tif 000035
【図３４】
2007536470.tif 000036
【図３５】
2007536470.tif 000037
【図３６】
2007536470.tif 000038
【図３７】
2007536470.tif 000039
【図３８】
2007536470.tif 000040
【図３９】
2007536470.tif 000041
【図４０】
2007536470.tif 000042
【図４１】
2007536470.tif 000043
【図４２】
2007536470.tif 000044
【図４３】
2007536470.tif 000045
【図４４】
2007536470.tif 000046
【図４５】
2007536470.tif 000047
【図４６】
2007536470.tif 000048
【図４７】
2007536470.tif 000049
【図４８】
2007536470.tif 000050
【図４９】
2007536470.tif 000051
【図５０】
2007536470.tif 000052
【図５１】
2007536470.tif 000053
【図５２】
2007536470.tif 000054
【図５５】
2007536470.tif 000055
【図５３】
2007536470.tif 000056
【図５４】
2007536470.tif 000057
【図５６】
2007536470.tif 000058
【図５７】
2007536470.tif 000059
【図５８】
2007536470.tif 000060
【図５９】
2007536470.tif 000061
【図６０】
2007536470.tif 000062
【図６１】
2007536470.tif 000063
【図６２】
2007536470.tif 000064
【図６３】
2007536470.tif 000065
【図６４】
2007536470.tif 000066
【図６５】
2007536470.tif 000067
【図６６】
2007536470.tif 000068
【図６７】
2007536470.tif 000069
【図６８】
2007536470.tif 000070
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
締結具を受けるように構成されたアセンブリであって、ナット部材と、ケージ部材と、少なくとも１つのスタンドオフとを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記ナット部材への接近を可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであり、前記少なくとも１つのスタンドオフは、前記ナット部材に結合され、前記ナット部材は、前記上面を前記下面に接続する複数の側壁を有し、前記ベース部分の各側壁は、前記ベース部分のエッジに沿って隣接する側壁に接続され、そして少なくとも２つの対向する側壁は、互いに内側に延びて、前記少なくとも１つのスタンドオフが前記ナット部材の前記ベース部分の前記エッジの１つとなる
ことを特徴とするアセンブリ。
【請求項２】
前記アセンブリが浴を通して裏返姿勢で移動されたときに前記ナット部材が前記ケージ部材に固着する可能性を低減するために、前記ナット部材の前記上面と前記ケージ部材との間の支え面の界面の量を低減する手段を更に備えることを特徴とする請求項１に記載のアセンブリ。
【請求項３】
前記低減する手段は、前記ナット部材の前記上面に結合されていることを特徴とする請求項２に記載のアセンブリ。
【請求項４】
締結具を受けるように構成されたアセンブリであって、ナット部材と、ケージ部材と、少なくとも１つのスタンドオフと、前記ナット部材の下面と前記ケージ部材との間の支え
面の界面の量を低減する手段とを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記ナット部材への接近を可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであり、
前記ナット部材の前記下面と前記ケージ部材との間の支え面の界面の量を低減する手段は、前記アセンブリが浴を通して水平姿勢で移動されたときに前記ナット部材が前記ケージ部材に固着する可能性を低減するものである
ことを特徴とするアセンブリ。
【請求項５】
前記低減する手段は、前記ナット部材の前記下面に結合されていることを特徴とする請求項４に記載のアセンブリ。
【請求項６】
前記低減する手段は更に、締結具が前記ナット部材に対して十分に係合および固定されるときに、前記ケージ部材に埋め込まれるように構成されていることを特徴とする請求項５に記載のアセンブリ。
【請求項７】
前記ケージ部は、前記ナット部材が前記ケージ部材から外されることを防止するように、曲げられて構成された少なくとも１つのアーム部分を設けていることを特徴とする請求項４に記載のアセンブリ。
【請求項８】
前記少なくとも１つのアーム部分は、さらに前記ナット部材が前記ケージ部材から外されることを可能にするように、再び曲げられて構成されていることを特徴とする請求項７に記載のアセンブリ。
【請求項９】
締結具を受けるように構成されたアセンブリであって、ナット部材と、ケージ部材と、少なくとも１つのスタンドオフと、前記ナット部材の前記少なくとも１つの側壁と前記ケージ部材との間の支え面の界面の量を低減する手段とを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記締結具が前記ナット部材に係合することを可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが一種の浴を通して裏返姿勢で移動されたときに前記ナット部材が前記ケージ部材に固着する可能性を低減するために、前記ナット部材の前記上面と前記ケージ部材との間の支え面の界面の量を低減するものであり、
前記ナット部材の前記少なくとも１つの側壁と前記ケージ部材との間の支え面の界面の量を低減する手段は、前記アセンブリが前記浴を通して横向姿勢で移動されたときに前記ナット部材が前記ケージ部材に固着する可能性を低減するものである
ことを特徴とするアセンブリ。
【請求項１０】
前記低減する手段は、前記ナット部材の前記少なくとも１つの側壁に結合されていることを特徴とする請求項９に記載のアセンブリ。
【請求項１１】
前記第２の低減する手段は、前記ケージ部材に結合されていることを特徴とする請求項９に記載のアセンブリ。
【請求項１２】
締結具を受けるように構成されたアセンブリであって、ナット部材と、ケージ部材と、少なくとも１つのスタンドオフと、前記ナット部材の前記下面と前記ケージ部材との間の支え面の界面の量を低減する手段とを備え、
ナット部材は、ベース部分を有し、このベース部分は、上面と、下面と、前記上面を前記下面に接続する少なくとも１つの側壁とを有し、前記ナット部材は、締結具によって係合されるように構成され、
ケージ部材は、前記ナット部材を閉じ込めるためのもので、前記ケージ部材は、前記ナット部材の移動の制限された範囲を少なくとも１つの方向に与えるように構成され、前記ケージ部材は、前記ナット部材の移動の制限された範囲内で前記締結具が前記ナット部材に係合することを可能にするように構成され、前記ナット部材の前記下面は、締結具が前記ナット部材に対して十分に係合および固定されるときに、前記ケージ部材に対して位置決めされるように構成され、
少なくとも１つのスタンドオフは、前記アセンブリが一種の浴を通して裏返姿勢で移動されたときに前記ナット部材が前記ケージ部材に固着する可能性を低減するために、前記ナット部材の前記上面と前記ケージ部材との間の支え面の界面の量を低減するものであり、
前記ナット部材の前記下面と前記ケージ部材との間の支え面の界面の量を低減する手段は、前記アセンブリが前記浴を通して水平姿勢で移動されたときに前記ナット部材が前記ケージ部材に固着する可能性を低減するものである
ことを特徴とするアセンブリ。
【請求項１３】
前記低減する手段は、前記ナット部材の前記下面に結合されていることを特徴とする請求項１２に記載のアセンブリ。
【請求項１４】
前記低減する手段は更に、締結具が前記ナット部材に対して十分に係合および固定されるときに、前記ケージ部材に埋め込まれるように構成されていることを特徴とする請求項１３に記載のアセンブリ。
【請求項１５】
ケージナットアセンブリの一部としてケージ部材内に閉じ込められるように構成されると共に、締結具を受けるように構成されたナット部材であって、ベース部分と、少なくとも１つのスタンドオフとを備え、
ベース部分は、上面と、下面と、前記上面を前記下面に接続する少なくとも１つの側壁とを有し、前記ナット部材の前記下面は、前記締結具が前記ナット部材に対して十分に係合および固定されるときに、前記ケージ部材に対して位置決めされるように構成され、
少なくとも１つのスタンドオフは、前記ケージナットアセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであり、
前記ナット部材は、前記上面を前記下面に接続する複数の側壁を有し、前記ベース部分
の各前記側壁は、前記ベース部分のエッジに沿って隣接する側壁に接続され、そして少なくとも２つの対向する側壁は、互いに内側に延びて、前記少なくとも１つのスタンドオフが前記ナット部材の前記ベース部分の前記エッジの１つとなる
ことを特徴とするナット部材。
【請求項１６】
前記ケージナットアセンブリが浴を通して裏返姿勢で移動されたときに前記ナット部材が前記ケージ部材に固着する可能性を低減するために、前記ナット部材の前記上面と前記ケージ部材との間の支え面の界面の量を低減する手段を更に備えることを特徴とする請求項１５に記載のナット部材。
【請求項１７】
前記低減する手段は、前記ナット部材の前記上面に結合されていることを特徴とする請求項１６に記載のナット部材。
【請求項１８】
ケージナットアセンブリの一部としてケージ部材内に閉じ込められるように構成されると共に、締結具を受けるように構成されたナット部材であって、ベース部分と、少なくとも１つのスタンドオフと、前記ナット部材の下面と前記ケージ部材との間の支え面の界面の量を低減する手段とを備え、
ベース部分は、上面と、下面と、前記上面を前記下面に接続する少なくとも１つの側壁とを有し、前記ナット部材の前記下面は、前記締結具が前記ナット部材に対して十分に係合および固定されるときに、前記ケージ部材に対して位置決めされるように構成され、
少なくとも１つのスタンドオフは、前記ケージナットアセンブリが浴を通して横向姿勢で移動されたときに前記ナット部材が前記ケージ部材に固着する可能性を低減するために、前記ナット部材の前記少なくとも１つの側壁と前記ケージ部材との間の支え面の界面の量を低減するものであり、
前記ナット部材の前記下面と前記ケージ部材との間の支え面の界面の量を低減する手段は、前記ケージナットアセンブリが前記浴を通して水平姿勢で移動されたときに前記ナット部材が前記ケージ部材に固着する可能性を低減するものである
ことを特徴とするナット部材。
【請求項１９】
前記低減する手段は、前記ナット部材の前記下面に結合されていることを特徴とする請求項１８に記載のナット部材。
【請求項２０】
前記低減する手段は更に、締結具が前記ナット部材に対して十分に係合および固定されるときに、前記ケージ部材に埋め込まれるように構成されていることを特徴とする請求項１９に記載のナット部材。